(57)【要約】電子デジタルドアオープナは、ストリートプレート１と内部プレート３間に接続されるデジタル化・記録・制御ブロック２を備える。ブロック２はドアオープナの機能を制御する手段と、録音・再生・処理手段と、ビデオ・データ配列手段とを有する。各内部プレート３には、ストリートプレート１との音声通信とデータ通信を可能にするリモートコントロール４を補足することができる。ストリートプレート１との音声・映像通信とデータ通信はＴＶセット６０により可能となる。ＴＶ機能を備えた携帯用可動装置４が、直接又はＴＶセット６０により、ストリートプレート１との音声・映像通信とデータ通信とを可能にする。各内部プレートとデジタル化・記録・制御ブロック２は、音声通信とビデオ通信とデータ通信とドアオープナの制御とを遠隔コンピュータ７０や遠隔電話８０等に関連付けることを可能にする遠隔位置確認モジュール５に接続されてもよい。
2004505518.tif 000002
【特許請求の範囲】
【請求項１】
少なくともビデオカメラ（１１）と、マイク（１２）と、スピーカ（１３）と、キーボード（１４）と、インジケータ（１５）と、ドア開閉スイッチ（１６）とを設けたストリートプレート（１）を備える電子デジタルドアオープナであって、前記ストリートプレート（１）は、住居において少なくとも１つの内部プレート（３、３、３）に接続されて、ストリートプレート（１）と内部プレート（３、３、３）との間の視聴覚通信を可能化し、また内部プレート（３、３、３）のいずれかからの命令を通してアクセス用ドアの開放を可能化し、
前記電子デジタルドアオープナシステムは、前記ストリートプレート（１）と内部プレート（３、３、３）との間に接続されたデジタル化・登録・制御ブロック（２）を備え、前記ブロック（２）は、
音声・映像・データ配列を登録・再生・処理する第１手段と、
ドアオープナの機能を制御する手段とを備え、
各内部プレート（３、３、３）は、
ストリートプレート（１）との音声通信とデータ通信用リモートコントロールと、ＴＶセット（６０）を介してストリートプレート（１）との音声・映像及びデータ通信用リモートコントロールであるようにしたリモートコントロールモジュール（４、４）と、
直接またはＴＶセット（６０）が選択した方法で、ストリートプレート（１）との音声・映像及びデータ通信用表示（４６）が設けられた携帯用可動装置（４）とを含むことが許容されており、前記携帯用可動装置（４）もまた携帯用ＴＶセットとして機能することが許容されており、
各内部プレート（３、３、３）とデジタル化・登録・制御ブロック（２）とは、遠距離通信ネットワーク（９０）を介して、遠隔コンピュータ（７０）と遠隔電話（８０）から選択される少なくとも１つの通信要素との、ドアオープナの音声・ビデオ・データ・制御通信を許容する遠隔位置確認モジュール（５）への接続が可能となり、
これら全てが、要件に応じて、各ユーザのために可能なドアオープナ構成を、
ストリートプレート（１）、内部プレート（３）、およびデジタル化・登録・制御ブロック（２）を備えた第１基本構成と、
ストリートプレート（１）、内部プレート（３）、デジタル化・登録・制御ブロック（２）、およびリモートコントロール（４）を備えた第２構成と、
ストリートプレート（１）、内部プレート（３）、デジタル化・登録・制御ブロック（２）、および遠隔位置確認モジュール（５）を備えた第３構成と、
ストリートプレート（１）、内部プレート（３）、デジタル化・登録・制御ブロック（２）、リモートコントロール（４）、および遠隔位置確認モジュール（５）を備えた第４構成と、
ストリートプレート（１）、内部プレート（３）、デジタル化・登録・制御ブロック（２）、および携帯用可動装置（４）を備えた第５構成と、
ストリートプレート（１）、内部プレート（３）、デジタル化・登録・制御ブロック（２）、携帯用可動装置（４）、および遠隔位置確認モジュール（５）を備えた第６構成とのように作成し、
ストリートプレート（１）およびデジタル化・登録・制御ブロック（２）は、複数の内部プレート（３、３、３）と前記６構成のいずれかの組み合わせとを備えたドアオープナ設備の全てのユーザによって共有され、ドアオープナで通話している人のビデオシーケンスの捕捉等、６つの安全機能構成のいずれをも可能とすることを特徴とする、電子デジタルドアオープナ。
【請求項２】
デジタル化・登録・制御ブロック（２）は、
音声・ビデオ信号のデジタル化用のアナログ・デジタル変換器（２２）であって、設備内の対応するセンサ（カメラ、マイク）がデジタル出力を提供する場合は、前記変換器（２２）は不要である、アナログ・デジタル変換器（２２）と、
オリジナルの音声・ビデオアナログ信号を再構築するために、前記変換器（２２）の逆機能を備えたデジタル・アナログ変換器（２３）と、
メモリ内に格納された場合、より少ないスペースを占めるように、音声・ビデオ信号を圧縮するための圧縮器（２６）と、
圧縮された信号をデジタル・アナログ変換器（２３）に送る前に、この信号を解凍するために、圧縮器（２６）の逆機能を備えたデコンプレッサ（２７）と、
捕捉したビデオ画像で実施すべき、ズーム・回転・濾過・対比およびそれらの組み合わせから選択される少なくとも１つの操作を可能にするビデオプロセッサ（２４）と、
オーディオサウンドで実施すべき、等化・濾過・歪曲及びそれらの組み合わせから選択される少なくとも１つの操作を可能化する音声プロセッサ（２５）と、
少なくともデジタル方式の音声・ビデオ信号を格納するためのリード・ライト格納メモリ（２８）と、
ストリートプレート（１）と内部プレート（３、３、３）からの指図に従って、
システムの異なる成分を可能化・不能化し、
ドアオープナが制御したアクセスの開放を許可し、
内部プレート（３、３、３）内の複数のプロセッサ（３７）との通信を確立し、
音声・ビデオ・データ信号の捕捉・送信・同期化・再生を監督・制御するための主プロセッサ（２０）であって、
ブロック（２）内の前記圧縮器（２６）、デコンプレッサ（２７）、ビデオプロセッサ（２４）および音声プロセッサ（２５）を不要にするために、前記主プロセッサ（２０）において圧縮・処理・解凍の機能をソフトウエアに与えることが可能である主プロセッサ（２０）と、
システム、アクセスキー、遠隔位置確認に対する通話の日時および電話番号を作成するデータベースを少なくとも格納する主メモリ（２１）と、
音声・ビデオ・データ信号を増幅し、濾過するための増幅・濾過ステージ（２９）とを備えることを特徴とする、請求項１に記載の電子デジタルドアオープナ。
【請求項３】
請求項１に記載の前記第１および第３構成用の内部プレート（３）は、
ユーザが、ドアオープナが制御したアクセスを開くように動作して、視聴覚メッセージを再生し、不在メッセージを記録し、緊急位置確認用の電話番号を入力し、概してドア開放システムを構成するためのメニュー上のオプションを選択するために、住居（３７）内のプロセッサに接続されるキーボードと、
常にドア開放システムの状態を示し、記録されたメッセージがあるかどうかの表示と、故障したかどうかの表示から選択される少なくとも１つの表示を提供するインジケータ（３２）と、
ストリートプレート（１）から通話してきた人が聞き取る音声を捕捉するためのマイクロフォン（３３）と、
ストリートプレート（１）によって捕捉された音声と、記録されたメッセージに対応する音声を聞き取れるようにするスピーカ（３４）であって、「外部音声」コネクタによって、また少なくともケーブルと無線周波数システムから選択される送信システムを介して、該スピーカが受信した信号を内部プレート（３）外部のＴＶセット（６０）に向けることができる、スピーカ（３４）と、
文字と記号をモニタ及びスクリーン上に書くための、スクリーン上の書込み装置（３５）であって、この書き込まれたものにビデオ信号を重ねることもでき、かつシステムを構成するためにテキストメニューを作り出すことを容易にし、前記メニューは内部プレート（３）内および／または前記ＴＶセット（６０）のモニタ（３６）で見ることができる、装置と、
ストリートプレート（１）内のカメラ（１１）が捕捉した画像と、デジタル化・登録・制御ブロック（２）によって記録された画像と、システムの構成用のメニューとを見るためのモニタ（３６）であって、「外部ビデオ」コネクタによって、また少なくともケーブルと無線周波数システムから選択された送信システムを介して、該モニタ（３６）によって受信された信号を内部プレート（３）外部のＴＶセット（６０）に向けることができる、モニタ（３６）と、
請求項２に記載の主プロセッサ（２０）と通信する住居内のプロセッサ（３７）であって、対応する通信においてプロセッサ（２０）によって選択・特定され、プロセッサ（３７）は、内部プレート（３）のキーボード（３１）からの命令を実施し、内部プレート（３）におけるインジケータ（３２）を可能化・不能化し、スクリーン（３５）上の書込み装置によってメニューを発生させる、プロセッサ（３７）と、
位置確認や、まだ見ていない記録メッセージの数や、個人的アクセスコードやメニュースクリーンや収容されるその他のものにとって必要な場合、少なくとも通知すべきこれらの電話番号から選択されるシステムによって使用されるデータを格納するためのリード・ライトメモリ（３８）と、
少なくとも「外部ビデオ」と「外部音声」出力と、センサおよび電源用の入力と、外部装置に対して作用するシリアル出力バスとよりなるコネクタブロック（３０）であって、ドメスティックおよび／またはアラームセンタシステムに接続できるようにしたコネクタブロック（３０）と、
ストリートプレート（１）への呼出しがあることを示す音響警告装置またはベル（０１）とを備え、前記音響警告装置またはベル（０１）は聴力不足の人々に適した音による警告と、光と予め記録された口頭メッセージの指示から選ばれる指示手段によって補足されるか、または置き換えることができることを特徴とする、請求項１または２のいずれかに記載の電子デジタルドアオープナ。
【請求項４】
請求項１に記載の前記第２および第４構成用の内部プレート（３）は、請求項３に記載の内部プレート（３）の全要素（３１、３２、３３、３４、３５、３６、３７、３８、３０、０１）を備え、更に、
ストリートプレート（１）およびデジタル化・登録・制御ブロック（２）から選択された少なくとも１つの要素からの音声・ビデオ要素を備える信号の無線送信を許容する、ＴＶチャネル（３９）の送信機であって、前記信号が、内部プレート（３）外部のＴＶセット（６０）に対して送信され、前述の送信に対応してチャネルの調子を合わせることによって、前記ＴＶセット（６０）内の内部プレート（３）のモニタ（３６）とスピーカ（３４）によって促進される、画像を見ることと音を聞き取ることを可能にした、送信機と、
好ましくは無線または赤外線を介して、前記第２および第４構成において使用される内部プレート（３）の住居プロセッサ（３７）およびリモートコントロール（４）内の制御回路（４０）間のデジタルコマンドと指令の送信・受信を許容するデータ送受信機（３９Ｃ）と、
前記リモートコントロール（４）のマイクロフォン（４２）が捕捉した信号が、好ましくは無線または赤外線によって受信されるのを許容する音声受信機（３９Ｂ）とを備え、前記信号が、ストリートプレート（１）におけるスピーカ（１３）と、遠隔位置確認モジュール（５）におけるモデム（５０）と、デジタル化・登録・制御ブロック（２）から選択される少なくとも１つの要素に向けられることを特徴とする、請求項１または３のいずれかに記載の電子デジタルドアオープナ。
【請求項５】
請求項１に記載の前記第２および第４構成において使用されたリモートコントロール（４）は、
コントロール（４）の機能を統括し、コントロール（４）に含まれる複数の要素を接続する制御回路（４０）と、
請求項４に記載のデータ送受信機（３９Ｃ）および前記データ送受信機（３９Ｃ）に類似する、補足的データ送受信機（４１Ｃ）と、
ストリートプレート（１）から呼び出している人と通信し、デジタル化・登録・制御ブロック（２）内のメッセージを記録することを可能にするマイク（４２）と、
ストリートプレート（１）からの音声とデジタル化・登録・制御ブロック（２）内に記録されたメッセージからの音声の再生を許容するスピーカ（４３）と、
請求項３に記載されたキーボード（３１）に類似した、ドア開放システム全体の支配を許容するキーボード（４４）と、
保留中のメッセージと外部通話のユーザに警告し、聴力不足の人々に対するサポート機能を促進するための照明付きインディケータ、及び／またはサウンドインディケータ（４５）と、
自主性のあるリモートコントロールを提供するために、再充電可能・再充電不可能から選択されるブロック電池（４７）と、
前記マイク（４２）によって捉えられた信号を、請求項４に記載の内部プレート（３）の音声受信機（３９Ｂ）に送信するための音声送信機（４１Ｄ）と、
信号の音声成分がやはり請求項４に記載のＴＶチャネル（３９）内の送信機によって送信されるのを許容する、請求項４に記載の音声受信機（３９Ｂ）に類似した音声受信機（４１）とを備えることを特徴とする、請求項１または４に記載の電子デジタルドアオープナ。
【請求項６】
請求項１に記載の前記第５および第６構成用の前記内部プレート（３）は、
請求項３に記載のスクリーン（３５）に書込むための装置に類似する、スクリーン（３５）に書込むための装置であって、この場合は、内部プレート（３）外部のＴＶセット（６０）、および／または前記第５および第６構成において使用された携帯用可動装置（４）の既存のスクリーン（４６）で作成されたテキストメニューを閲覧するための装置と、
請求項３に記載の住居プロセッサ（３７）に類似する住居プロセッサ（３７）、前記携帯用可動装置（４）に属する、それに対して作用するキーボード（４４）およびインジケータ（４５）と、
請求項３に記載のものに類似するメモリ（３８）と、
請求項３に記載のものに類似するコネクタブロック（３０）であって、少なくともケーブルおよび無線周波数システムから選択された送信システムによって、ドアオープナからの「外部ビデオ」および「外部音声」出力に対応する信号を、内部プレート（３）外部のＴＶセット（６０）に向けることが許容されたコネクタブロック（３０）と、
請求項３に記載のものに類似する音響警告装置またはベル（０１）と、
請求項４に記載のものに類似する音声受信機（３９Ｂ）、および前記第５および第６構成において使用される携帯用可動装置（４）に属し、音声信号を受信するマイクロフォン（４２）と、
請求項４に記載のものに類似するデータ送受信機（３９Ｃ）であって、この場合は、好ましくは無線または赤外線を介して、前記第５および第６構成において使用される内部プレート（３）の住居プロセッサ（３７）と携帯用可動装置（４）のプロセッサ回路（４８）との間のデジタルコマンドおよびデータの送信・受信を許容するデータ送受信機（３９Ｃ）と、
ストリートプレート（１）およびデジタル化・登録・制御ブロック（２）から選択された少なくとも１つの要素からの視聴覚信号の無線を介した送信を許容する視聴覚信号送信機（３９Ａ）であって、前記信号が、内部プレート（３）外部のＴＶセット（６０）および前記携帯用可動装置（４）における既存の視聴覚信号受信機（４１Ａ）の両方に対して送信される、視聴覚信号送信機（３９Ａ）と、
携帯用可動装置（４）がその視聴覚信号受信機（４１Ａ）を介してＴＶチャネルを受信することができるように、前記視聴覚信号と、内部プレート（３）外部のＴＶセット（６０）が接続される「外部ビデオ」及び「外部音声」入力に対応する信号とから送信すべき信号を選択することを許容する、前記送信機（３９Ａ）内に存在するスイッチとを備えることを特徴とする、請求項１乃至４のいずれかに記載の電子デジタルドアオープナ。
【請求項７】
請求項１に記載の前記第５および第６構成において使用される携帯用可動装置（４）は、
好ましくはＬＣＤタイプであって、カラー用の小型スクリーン（４６）と、
音声信号を聴くための小型スピーカ（４３）と、
前記スピーカ（４３）およびスクリーン（４６）に接続され、かつ前記第５および第６構成において使用される前記内部プレート（３）の視聴覚信号送信機（３９Ａ）からの視聴覚信号の受信を許容する視聴覚信号受信機（４１Ａ）と、
携帯用可動装置（４）が送信した音声を捕捉するためのマイクロフォン（４２）と、
前記第５および第６構成において使用される内部プレート（３）の音声受信機（３９Ｂ）に対して音声信号を送信する、前記マイクロフォン（４２）に接続された音声送信機（４１Ｄ）と、
請求項６に記載の、およびそれに類似するデータ送受信機（３９Ｃ）に対して補助的なデータ送受信機（４１Ｃ）と、
前記データ送受信機（４１Ｃ）、音声送信機（４１Ｄ）および音声信号受信機（４１Ａ）を統括し、また携帯用可動装置（４）の全機能を制御するプロセッサ回路（４８）と、
請求項５に記載のものに類似するキーボード（４４）と、
請求項５に記載のものに類似するインジケータ（４５）と、
請求項５に記載のものに類似するが、この場合、自主性を備えた携帯用可動装置（４）を提供するバッテリブロック（４７）とを備えることを特徴とする、請求項１乃至６のいずれかに記載の電子デジタルドアオープナ。
【請求項８】
前記遠隔位置確認モジュール（５）は、電話線（５１）に対する第１端部および内部プレート（３、３、３）に対する第２端部で接続されたモジュール（５０）であって、前記内部プレート（３、３、３）に含まれて、前記遠隔位置確認モジュール（５）において留守番電話機能を可能にするモデム（５０）を備えることを特徴とする、請求項１に記載の電子デジタルドアオープナ。
【請求項９】
前記モデム（５０）は、少なくともＧＳＭ、ＧＰＲＳおよびＵＭＴＳから選択されるタイプであり、かつ前記モデム（５０）は、コードレスデータ送信モジュールであることを特徴とする、請求項８に記載の電子デジタルドアオープナ。
【請求項１０】
前記モデム（５０）は、ＳＭＳメッセージを送信する手段を備えることを特徴とする、請求項８に記載の電子デジタルドアオープナ。
【請求項１１】
携帯用可動装置（４）は、コードレス電話の該装置と同様の局面を有することを特徴とする、請求項１に記載の電子デジタルドアオープナ。
【請求項１２】
前記遠隔位置確認モジュール（５）は、全住居が前記遠隔位置確認モジュール（５）のサービスを共有するよう、デジタル化・登録・制御ブロック（２）近くの玄関ホールに配置可能であることを特徴とする、請求項１に記載の電子デジタルドアオープナ。
【発明の詳細な説明】
【０００１】
（発明の目的）
本発明は、この説明的報告書中の用語で表現すると、電子ドア開閉システムを有するデジタル式電子ドア・オープナに関し、その主要目的はストリート・プレートを介して視聴覚メッセージの記録を許容することからなる。これらのメッセージはテレビジョン・セット上対応する内部プレート内に、または遠隔デバイスによってレイヤーを再生することが可能である。さらに、種々のアナログ入力と出力接続装置のシステム内に、自由に使用するための一連のバスをともに含ませることで、ホーム・オートメーションおよび警報タイプ機能を付加することができる。
【０００２】
他方において、ダイバース・モジュールが機器に付加されて、最高の進んだサービスを提供することができる。
【０００３】
従って、遠隔ローカル化モジュールを含ませることによって、住居を呼び出している人と所有者間の会話が可能になり、後者はいつでも、電話の助けで所有者のいる場所から入口に対応するドアを開けることができる。
【０００４】
この遠隔ローカル化モジュールの他の目的は、電話機能（電話呼び出しの送信および受信を許容する）、留守番電話機能（いずれの電話からのメッセージをも記録し聞くことを可能にする）、および遠隔接続の実行であって、システムは相互的に制御され、また、メッセージは遠隔接続を介して再生され、あるいは送信される。
【０００５】
他方において、遠隔制御モジュールを付加することによって、システムは人が動く必要なしにストリート・プレートを介して呼び出し；テレビジョン・セットにまたは内部プレートのモニター、あるいは視覚連絡のための携帯移動ユニットのスクリーンをベースにすることができる人の注視と会話を許容する。このスクリーンはさらに従来の携帯テレビジョン・セットの機能を有している。また、前記携帯移動ユニット上、遠隔制御装置上、または内部プレート上の異なるキーを押すことによってシステムの構成のメニューを見られるようにすることも可能である。
【０００６】
電子ドア・オープナの二つの異なる設置をすることが可能である。その内の一つは、住居ブロックの団体のオーナーが使用すると考えられる共動使用のための電子ドア・オープナの設置であって、そのサイズは問わない。もう一つの設置は、上述のものよりも簡単であって、一般に家および単独の家庭住居内に、または部屋の区別に同じアクセスを伴う必要のないビルに設置されて使用されることを予想した個々の使用が要求される電子ドア・オープナである。
【０００７】
（発明の背景）
ポーチと住居の各々を連絡する相互通信システムないし電話からなる住居に適用される自動ドアオープナは、周知であり、また各住居を呼び出すためのシステムも含んでおり、一方で各住居はポーチ・ドアを開けるための押しボタンを含んでいる。これらのドア・オープナは内部プレート内のモニターを含む傾向にあって、これによって人が聞くのと同時に対応するビルの入口内で生じるシーン（場面）を見ることができる。この方法において、住居内にいる人が、呼び出しを受信した後、ポーチのドアを開けるか否かを決めることができる。
【０００８】
例えば警報器が鳴り始めたり、またはオーナーの留守のような特定事象が発生した後、モジュールは自動留守番電話として工場で事前記録された音響メッセージを再生する自動ドア・オープナを備えている。他のより進んだ点は、オーナーの不在の場合におけるデジタル画像（フォトグラム）を撮ることが許容され、後で内部プレートのモニター上で見ることができることである。
【０００９】
一方において、無線周波数回路も知られており、電子ドア・オープナ・システムに適用された後、遠隔制御を介するビルにアクセスするためにドアを開けたり、またはテレビジョン・セット上で見られる入口での光景の発生を許容したりするなどの機能を実行する。これらのシステムは、大抵の場合において、入口から住居に視聴覚信号を導入するためにビルの集中アンテナの引き込みケーブルを使用する。この場合において、信号はテレビジョン・セットを特定チャネルにチューニングすることによって再生することができる。
【００１０】
他の無線送信システムも、コードレス電話およびある種のテレビジョン信号送信機および受信機回路等として知られており、テレビジョン・セットはケーブル配線を付設する必要なしに居住内のどの地点でも見られるようにする。
【００１１】
これからしばらくの間、警報機または監視システムは、トリガーされる場合にオーナーの遠隔ローカル化のために機能を伴って市場で見られることになる。高速電話回線の出現のお陰で、これらのシステムのあるものは侵入の場合に視聴覚シーケンスの送信のための外部モジュールの介入を許容する。
【００１２】
同様にして、家庭自動化システム、またはコンフォート・システムが、デバイスをして状況のシミュレーション、エネルギーの節約等々をオン・オフすることが知られている。最も進んだ家庭自動システムは、音響案内メニューによって遠隔操作電話を介しての処理をも許容する。
【００１３】
マルチメディア技術が備えらているコンピュータ間のビデオ会議が周知であり、二方向視聴覚シーケンスの送信を、コールの確立が許容するビデオ電話とともに使用し、画像の同時送信を可能にする。
【００１４】
未だ開発途上にある最近出てきたＷＡＰ（無線アプリケーション・プロトコル）と呼ばれる基準も知られており、移動電話を介してウエブ・ページ・サーバーと接続が可能である。ＷＡＰ接続によって、テキストまたは視聴覚コンテキストのいずれにおいても移動電話の液晶表示装置上にウエブ・ページの内容を再生できる。ＷＡＰ技術が備えられておれば、効力を発すると、移動電話の使用はＵＭＴＳ技術によってある一定の速度で電気通信市場内で視聴覚コンテキストを伴うメッセージを再生することができる。
【００１５】
一方において、スペイン特許である公告番号第２，１３３，１２５号で、名称が「コードレス電話テレ−ドア・オープナ」は周知である。この特許は音響および画像のためのコードレス電気通信システムを有し、これは外部公衆電話通信システムおよび、住居の建物環境にあるドア開放システムのための特定内部ビデオとの通信を確立するベース電話および携帯電話を含んでいる。この携帯電話は移動無線通信局であって、声が聞こえ、姿が見え、人と話すべき建物（ビル）のポーチ・ドアで人を呼び出すベルを鳴らすだけでなく、また、公衆電話システムのサービス全般も可能にする。前述のベース電話は、携帯電話と同じ機能を有する住居の内部に渡る固定無線通信局である。この特許のシステムは、コードレス・ドア・オープナとして、また公衆電話としての携帯電話を使用することを基準とする利点を有しているが、視聴覚メッセージを記録し再生することができず、ローカルないし遠隔ＰＣへの接続を予想しておらず、警報ないしホーム・オートメーション機能の可能性を許容せず、携帯テレビジョン・セットとしての使用の可能性を考慮しておらず、さらに遠隔ローカル化モジュールを備えていない。
【００１６】
本セクションの前段部において、その指示した最も適切な観点を示す発明に関するデバイス、システムおよび技術について簡単に説明した。発明者の見解においては、これらの特性にはこれらが既に存在しているものから発明者が提案しているシステムの区別するものは発見されない。
【００１７】
オーナーの不在中に視聴覚メッセージを記録し、後ほど内部プレート上で、従来のテレビジョン・セット上で、電話でまたは携帯デバイス上での再生といった機能を実行するための創作物から考慮される電子ドア開放システムは知られていない。
【００１８】
不在のメッセージの再記録を必要とするたび毎に、または聴覚能力に問題のある人を助けるためのベルの音響の変化の許容する電子ドア開放デバイスについても知られていない。
【００１９】
同様にして、電子ドア開放デバイスは、環境設定
（構成）のテキスト・メニューが見られること、また、コンピュータ、電話ないし同様のものによって遠隔的に処理することのできる小さい視覚スクリーンを含んでいる携帯デバイスを介して完全に構成でき、かつ、制御できることは知られていない。
【００２０】
オーナーの遠隔ローカル化と、電話を介して記録されたメッセージの再生を許容し、音響メッセージを再生することによって実行されるべき操作を役立てることができる自動ドア開放システムは知られていない。
【００２１】
警報機能をシミュレートするとともに、一連のバスによってホーム自動化機能を可能にし、さらに自動留守番電話、コードレス電話および携帯テレビジョン・セットの機能を実行するための入力および出力デバイスの接続を許容する自動ドア開放システムの存在も知らない。
【００２２】
安全目的のために、また警備活動の場合に有効である視聴覚シーンを記録することを許容する電子ドア開放システムは知られていない。
【００２３】
最後に、ＷＡＰ技術の適用のために用意され、システムに記録された視聴覚メッセージの実時間再生と、最も最新の移動電話内に含まれた液晶表示装置を介して玄関内の光景を観察する目的で、用意された電子ドア開放およびメッセージ・システムは知らない。
【００２４】
（発明の説明）
これまでのセクションで指示した目的を達成するとともに、不便を回避するために、本発明は少なくともビデオ・カメラ、マイクロフォン、スピーカー、キーボードおよびドア・オープナ・スイッチ指示装置を備えたストリート・プレートを有するデジタル電子ドア・オープナからなり、このストリート・プレートは住居内の一つまたはそれ以上の内部プレートに接続され、視聴覚通信がストリート・プレートと内部プレート間の連絡を可能に、さらに対応するポーチ・ドアの開放または内部プレートのいずれからの命令によってアクセスできるようにする。ここで説明する限りでは、構造はアナログであって既知のビデオ・ドア開放システムである。
【００２５】
本発明によれば、何が新規であるかといえば、上述した電子ドア・オープナはデジタル化、ストリート・プレートと内部プレート間に接続された記録および制御ブロックを有している。すなわち、このブロックは音響とビデオおよびデータ・シーケンスの記録、再生および処理するための手段と、ドア・オープナ機能を制御するための制御手段を合わせて備えている。各内部プレートは遠隔制御モジュールによって任意に補足でき、ストリート・プレートとの音声とデータ通信を許容し、またテレビジョン・セットを介する前記ストリート・プレートと視聴覚通信を許容する遠隔制御装置とすることができる。すなわち、前記遠隔制御ユニットは表示装置を備えた携帯移動ユニットとすることができ、ストリート・プレートとの視聴覚通信とデータ通信を直接的またはテレビジョン・セットを介して許容する。この携帯移動ユニットはまた携帯テレビジョン・セットの機能も許容する。各内部プレートは、デジタル化、記録および制御ブロックとともに、電気通信ネットワークを介して遠隔コンピュータ、遠隔電話または同様のものとドア・オープナとの音声、ビデオ、データおよび制御通信を許容する遠隔ローカル化制御モジュールに任意に接続可能である。必要により、次なるドア・オープナ構成をすべてのユーザにとって可能となる。すなわち：
−ストリート・プレート、デジタル化、登録／制御ブロックおよび遠隔制御からなる第１構成ないし基本構成。
−ストリート・プレート、内部プレート、デジタル化、登録／制御ブロックおよび遠隔制御からなる第２構成。
−ストリート・プレート、内部プレート、デジタル化、登録／制御ブロックおよび遠隔ローカル化制御からなる第３構成。
−ストリート・プレート、内部プレート、デジタル化、登録／制御ブロック、遠隔制御および遠隔ローカル化制御からなる第４構成。
−ストリート・プレート、内部プレート、デジタル化、登録／制御ブロック、および携帯移動ユニットからなる第５構成ないし携帯基本構成。
−および、ストリート・プレート、内部プレート、デジタル化、登録／制御ブロック、携帯移動ユニット、遠隔ローカル化モジュールからなる第６構成。
【００２６】
ストリート・プレートおよびデジタル化、登録／制御ブロックは、多数の内部プレートおよび上述した第６構成のいずれかの組み合わせを有するドア・オープナ設備内のユーザ全員によって共用される。前記第６構成のいずれも、ドア・オープナで読み出された人のビデオ・シーケンスの収集のような安全機能を可能にする。
【００２７】
本発明の好ましい実行によれば、上述したデジタル化、登録／制御ブロックは次のものを含む。すなわち：
−音声およびビデオ信号のデジタル化を許容し、またデジタル出力を有する対応する設備センサー（カメラ、マイクロフォン）の場合に不可欠であるアナログ／デジタル変換器。
−上記機能に対して逆機能を備え、オリジナルの音声およびビデオ・アナログ信号を再構成するアナログ／デジタル変換器。
−音声およびビデオ信号を、メモリに記憶された少ないスペースを占有するオブジェクトで圧縮するようにするコンプレッサ（解凍装置）。
−圧縮信号の解凍を許容する上述したように逆機能で解凍してから、信号をアナログ／デジタル変換器に伝送する解凍装置。
−収集されたビデオ画像でズーム、回転、フィルタリング、コントラスティングおよび他の操作の実行を許容するビデオ・プロセッサ。
−音声サウンドでイコライジング（等化）、フィルタリング、ディストーティング（ひずみ化）および他の操作の実行を許容する音声プロセッサ。
−ストリート・プレートと内部プレートからの命令に伴ない、システムの異なる要素を作動／不動にする主プロセッサであって、ドア・オープナによって制御されたアクセスのオープニングを許容し、内部プレート内の既存のプロセッサとの通信を確立するとともに、収集物の管理、制御して、音声、ビデオおよびデータ信号を送信、同期化および再生する主プロセッサ。ブロック内の前回の圧縮装置、解凍装置、ビデオ・プロセッサおよび音声プロセッサを除くことのできる圧縮、処理および解凍の機能を備えるように、ソフトウエアをこのプロセッサ内に装備することができる。
−アクセス・キー、コールの日時、遠隔ローカル化のための電話番号および他のデータを記憶するようにシステムを構成するようにデータ・ベースを許容する主メモリ。
−音声、ビデオおよびデータ信号を増幅し、記憶することを許容する増幅／フィルタリング・ステージ。
【００２８】
上述した好ましい実行、および上述したドア・オープナの第１および第３構成の実行において、内部プレートは次のものを備えている。すなわち：
−住居内のプロセッサに接続されたキーボードであって、ユーザが操作して、ドア・オープナによって制御されたアクセスを開け、視聴覚メッセージを再生し、留守のメッセージを記録し、緊急ローカル化のための電話番号を入力し、概して、ドア開放システムを構成するためのメニュー上でオプションを選択する。
−いずれの記録メッセージ、欠陥、または他の指示内容があるかどうかの指示を容易にする常時ドア開放システムの状況を示す指示装置。
−ストリート・プレートからコールされた人が聞くことになる音声の収集を許容するマイクロフォン。
−記録メッセージに対応する音声と一緒に聞かれるストリート・プレートによって音声の収集を許容するスピーカ。このスピーカによって受信された信号を内部プレートの外部のテレビジョン・セットに、「外部音声」コネクターによって、またケーブルまたは無線周波数システムを介して、向けることが可能である。
−モニターおよびスクリーン上に文字および記号を書くことを許容するスクリーン上に書き込むためのデバイス。この書き込みはビデオ信号にオーバーラップさせることが可能である。このデバイスは、内部プレート中のモニター上に、および（または）上述したテレビジョン・セット上で見ることのできるシステムの構成のためのテキスト・メニューの創成を容易にする。
−ストリート・プレート内のカメラによって構成された画像を、デジタル化手段、登録／制御ブロックによって登録された画像と一緒に見ることを許容し、さらにシステムの構成のためのメニューを見ることを許容するモニター；このモニターによて受信された信号を内部プレートの外部にあるテレビジョン・セットに、「外部ビデオ」コネクターによって、またケーブルまたは無線周波数システムを介してこのモニターによって向けることが可能である。
−デジタル化、登録／制御ブロック内の主プロセッサと通信する住居内のプロセッサであって、対応する通信内のブロックによって選択され識別される。住居内のこのプロセッサはさらに内部プレートのキーボードから到来する命令を実行するように使用され、内部プレート内の指示装置を作動／不作動にし、またスクリーン上に書き込みデバイスを使用してメニューを形成する。
【００２９】
居場所を明確にする（ｌｏｃａｌｉｚａｔｉｏｎ）必要がある場合に連絡すべき人々の電話番号、閲覧されていない記録メッセージの数、パーソナルアクセスキー、メニュースクリーン、および家に招き入れるべき他人などのような、システムによって利用されるデータを許可する読み書きメモリ。
【００３０】
センサおよび供給用の「外部映像」および「外部音響」入力、および外部機器に対してまさに最小限作用するシリアル出力バスを備えるコネクタブロック。このコネクタブロックは、家庭用オートメーションおよび／またはアラームセンターシステムに接続される可能性がある。
【００３１】
ストリートプレートに電話がかかっているという表示を可能とする音響警報またはベル。この表示は、聴覚に障害のある人々向けに変更することのできる音をともなった警報、表示灯およびあらかじめ記録されている言語メッセージによって補足するかまたはこれらに取り替えることができる。
【００３２】
本発明の好適な実施によると、ドアオープナの第２および第４の構成のための内部プレートは、ドアオープナの第１および第３の構成における内部プレートに関連して記載したすべての素子を備えており、さらに、ストリートプレートからの音響および映像成分をともなう信号、または内部プレートの外部にあるテレビセットに送信されるデジタル化、登録、および制御ブロックの無線送信を可能とするテレビチャンネルでの送信器であって、上述の送信に対応したチャンネルにチューニングすることにより、上述のテレビにある内部プレートのモニタおよびラウドスピーカによってもたらされる画像および音声を視聴することを可能とする、内部プレートの住居におけるプロセッサと上述の第２および第４の構成で使用される遠隔制御装置における制御回路との間で、好ましくは無線または赤外線を介してデジタルコマンドおよびデータの送信／受信を可能とするデータトランシーバ、上述の遠隔制御装置のマイクロフォンによって捕獲される信号を、好ましくは無線または赤外線によって受信することを可能とする音声受信器であって、この信号は、ストリートプレート中のラウドスピーカ、遠隔ローカライゼーションモジュール内のモデムまたはデジタル化、登録および制御ブロックに向けられる、を備えている。
【００３３】
一方、上述の好ましい実施においては、ドアオープナの第２および第４の機構成において使用される遠隔制御装置は、
他の複数の制御素子を接続しその機能を支配する制御回路、
システムの第２および第４の構成に関連して言及したデータトランシーバに対する補足データトランシーバおよびこれに類似するもの、
ストリートプレートから電話をしてくる人物との対話を、デジタル化、登録およびコントロールブロックにあるメッセージの記録とともに可能とするマイクロフォン、
ストリートプレートからの音響、およびデジタル化、登録およびコントロールブロックに記録されたメッセージの音響を再生可能とするラウドスピーカ、
ドアオープナの第１および第３の構成の内部プレートに関連して述べたキーボードに類似のドアオープナシステム全体を支配することを可能とするキーボード、
保留されているメッセージおよび外部から電話がかかっている旨をユーザーに警告することを可能とし、さらに聴覚に障害のある人々のためのサポート機能を容易にする点灯および／または音声表示器、
遠隔制御装置に自律性を与える、充電可能または充電不可能なバッテリブロック、
上述のマイクロフォンによって捕獲された信号を、ドアオープナの第２および第４の機能に関連して述べた内部プレートの音響受信器へ送信する音響送信器、
ドアオープナの第２および第４の構成について述べた音響受信器に類似しており、テレビチャンネルにおいて送信器によって送信される信号の音響成分を捕獲することを可能とし、ドアオープナの第２および第４の構成についても述べられている音響受信器、
を備える。
【００３４】
本発明の好適な実施において、ドアオープナの第５および第６の構成は、
スクリーンへの書き込みを行うための装置であって、ドアオープナの第１および第３の構成において内部プレートに関連して述べたスクリーンへの書き込みを行うための装置に類似ているが、この場合は内部プレートの外部にあるテレビセットおよび／またはこれら第５および第６の構成において採用される携帯可動ユニットの既存のスクリーンにおいて形成されたテキストメニューを見ながら書き込むものである、
ドアオープナの第１および第３の構成における内部プレートに関連して言及した、住居におけるプロセッサに類似の住居におけるプロセッサであるが、ただし作用するのは、上述の携帯可動ユニットに所属しているキーボードおよび表示器である、
ドアオープナの第１および第３の構成における内部プレートに関連して言及したものに類似のメモリ、
ドアオープナの第１および第３の構成における内部プレートに関連して言及したものに類似のコネクタブロックであって、ドアオープナの「外部映像」および「外部音響」出力に対応する信号を、ケーブルまたは無線周波システムによって内部プレートの外部のテレビセットに送ることができるコネクタブロック、
ドアオープナの第１および第３の構成の内部プレートに関連して言及したものに類似の音響警報装置またはベル、
ドアオープナの第２および第４の構成に関連して言及したものに類似の音響受信器であるが、この場合は、ドアオープナの第５および第６の構成に使用される携帯可動ユニットに属する音響信号を受信するマイクロフォンである、
ドアオープナの第２および第４の構成の内部プレートに関連して言及したものに類似のデータトランシーバであるが、この場合は、好ましくは無線または赤外線を介して、内部プレートの住居におけるプロセッサと、ドアオープナの第５および第６の構成に使用される携帯可動ユニットのプロセッサ回路との間でデジタルコマンドおよびデータの送信／受信を可能とするものである、
内部プレートの外部にあるテレビセットと上述の携帯可動ユニット内の既存の音響映像信号受信器との両方に送信されるストリートプレートまたはデジタル化、登録および制御ブロックからの信号を、音響映像信号の無線を介して送信可能とする音響映像信号送信器。この送信器にはスイッチがあり、このスイッチは、携帯可動ユニットがその音響映像信号受信器を介していかなるテレビチャンネルも受信することができるようにする目的で、上述の音響映像信号が送信されるべく選択されるようにし、または、内部プレートの外部にあるテレビセットが接続される「外部映像」および「外部音響」入力に対応する信号を許可するものである、
を備える。
【００３５】
本発明の好適な実施によると、ドアオープナの第５および第６の構成において採用される携帯可動ユニットは、
好ましくは液晶型でカラーの小型スクリーンまたはモニタ、
音響信号を聞くための小型ラウドスピーカ、
上述のラウドスピーカスクリーンに接続され、第５および第６の構成において使用される上述の内部プレートの音響映像信号送信器から音響映像信号を受信することを可能とする音響映像信号受信器、
携帯可動ユニットによって送信される音響キャプチャのためのマイクロフォン、
マイクロフォンに接続され、前記第５および第６の構成において使用される内部プレートの音響受信器に音声信号を送信する音響送信器、
ドアオープナの第５および第６の構成の内部プレートに関連して記載されたデータトランシーバに対して補足的なデータトランシーバ、およびその類似物、
上述のデータトランシーバ、音響送信器および音響信号受信器を支配し、さらに携帯可動ユニットの機能全体を制御するプロセッサ回路、
ドアオープナの第２および第４の構成において使用される遠隔制御装置に関連して述べたものに類似のキーボード、
ドアオープナの第２および第４の構成において使用される遠隔制御装置に関連して述べたものに類似の表示器、
ドアオープナの第２および第４の構成において使用される遠隔制御装置に関連して言及したものに類似しているが、ただしこの場合は、携帯可動ユニットに自律性を与えているバッテリブロック、
を備える。
【００３６】
本発明の好ましい実施によると、ドアオープナの第３、第４、および第６の構成において採用される遠隔ローカライゼーションモジュールは、一方は電話線に接続して他方は対応する内部プレートに接続しているモデムからなり、このモデムは上述の内部プレート内に一体化することが可能である。この遠隔ローカライゼーションモジュールは、ドアオープナにおいて自動返答電話機能を可能にする。上述のモデムはＧＳＭ型、ＧＰＲＳ型、ＵＭＴＳ型または他のタイプであり得、一般に、コードレスデータ送信モジュールからなり得る。
上で言及した携帯可動ユニットは、コードレス電話に似た外観を有し得る。
【００３７】
本発明のドアオープナについて述べた構成によると、数多くの機能が可能である。従って、ドアオープナの基本的な構成または第１の構成は、以下のことがらを可能とする。
住居の所有者に向けられた音響映像メッセージを、ストリートプレートを介して記録する。
すべての近隣団体に向けられた音響映像メッセージを、ストリートプレートを介して記録する。
メッセージを削除する。
個人の不在メッセージを記録する。
【００３８】
不在メッセージを、内部プレートを介して変更する。
システムのすべての機能をアクセスコードによって随時保護する。
内部プレートを介して音響映像メッセージを再生する。
聴覚に障害のある人々を手助けするためにベルの可聴音声を変更する。
内部プレートのモニタまたはテレビセットで見ることのできるテキストメニューによって、システムの全体の構成にアクセスする。
建物にあるどのベルについても鳴らす人物を自動的に記録することにより、建物の防犯上の目的がある場合にその人物または所有者を確認できるようにする。
【００３９】
入室（在室、煙、湿気、温度センサなど）または外出（サイレン、交替、ドアオープナ、接触など）のための外部装置を作動可能／不可能（アラーム機能）とする。
シリアルバス、ＲＳ２３２、ＣＡＮ、１２Ｃなどの支援プロトコルによって外部装置を接続する（ホームオートメーション機能）。
基本的な構成に遠隔ローカライゼーションモジュールを追加することによって、すなわち、ドアオープナの第３の構成によって、基本的な構成について述べた機能に以下の他の機能が付け加わる。
電話線を使用することにより所有者の所在を突き止める。
【００４０】
記録されているメッセージを、住居の外部にある電話を利用して再生する。
内部プレートを介して外部から電話をかける／受ける（電話機能）。
不在の場合に外部の音響メッセージを記録する（自動返答機能）。
遠く離れたどんな電話からでも不在メッセージおよび返答電話メッセージを変更する。
外部センサが作動した場合、その旨を所有者、警察またはアラームセンターに警告する。
【００４１】
異なる電気的装置を遠隔的に作動可能／不可能にする。
住居内に設置されたホームオートメーションシステムへ／から命令およびコマンドを送信／受信する。
遠隔的にシステムと相互動作するためのガイドとして音響メニューを使用する。
ソフトウェアを使い遠隔コンピュータを介してシステムを構成し、さらにメッセージを再生または記録する。
【００４２】
一方、遠隔制御モジュールが基本的な構成に追加された場合、すなわち、ドアオープナの第２の構成においては、基本的な構成についてのべた機能と同様に以下のその他の機能を有することになる。
住居のテレビセットにメッセージを再生する。
テレビスクリーンに表示されるテキストメニューによる手助けを得てシステムを全体として制御する。
遠隔制御装置を介して、エントランスホールにいる人物と対話する。
【００４３】
特定の近隣または所有者団体のメンバー全員に向けられた音響メッセージを遠隔制御装置を介して記録する。
一般に、基本的な構成において内部プレートを介して行い得るすべての機能を、対応する遠隔制御装置を介して行い得る。
【００４４】
一方、携帯可動ユニットが基本的な構成に付け加えられた場合、すなわち、ドアオープナの第５の構成においては、ドアオープナは第２の構成について述べた機能と同様に以下の機能を実施することができる。
上述の携帯可動ユニット内に組み込まれたスクリーン上に音響映像場面を再生する。
上述のスクリーン上に現れるテキストメニューの手助けを得てシステムを構成する。
携帯可動ユニットのモニタまたはスクリーン上のテレビ信号として外部映像信号を表示する（可動テレビ機能）。
【００４５】
一方、ドアオープナの第４の構成を、第２の構成および第３の構成について言及した機能を可能とする。
最後に、ドアオープナの第６の構成は、第３の構成および第５の構成について言及した機能を有する。
この説明上の報告をより深く理解することを容易にしかつ全体の一部として欠くことのできない部分を形成するものとして、本発明の目的を具体的にただし限定的でなく示すいくつかの図面を以下に示す。
【００４６】
（発明の実施態様の説明）
本発明の実施例を、図面において採用した参照符号を参照しながら以下の通り説明する。
従って、本発明のこの実施例におけるデジタル電子ドアオープナは図１および２に示すストリートプレート１を備えており、これはエントランスホールまたはポーチの外部に配置されるパネルである。このプレート１はユーザーコールインターフェースを構成し、以下の装置からなるものである。
【００４７】
ビデオカメラ１１。これは、配置されている建物のエントランスホールまたは室内において発生する場面を捉えて記録することを可能とする。これらの場面は、内部プレート３のモニタ３６上およびテレビセットまたは遠隔モニタ６０の両方で後に再生することができる。
建物の外部からの音声を捕獲するためのマイクロフォン１２。捕獲された音声は建物内部にいるかまたは離れて存在する人物との対話に役立つ。かけた電話／複数の電話に対して何ら返答がない場合、音響成分がこのマイクロフォンから出てくる音響映像メッセージを作成することができる。
【００４８】
ラウドスピーカ１３。建物の内部からわれわれと対話する場合であろうと電話装置を介してであろうと、記録されたメッセージまたは所有者に対するメッセージはこれを介して聞くことができる。
−　所望の住居への呼び出しが行なわれるようにするキーボード１４。これはまた、所有者がこのことを必要と考える場合には、このシステムの様々な機能へのアクセスコードを導入するためにも役立つ。
−　このシステムの機能を知らせるため、あるいはあるいくつかの事象の場合に呼び出している人に警告するためのインジケーター１５。ストリートプレート１を含む拡声器１３は、多くの場合システムインジケーターとして作用する。
−　開扉スイッチ１６であって、これは、電子開扉システムによって制御されているドアまたはアクセスを、内部プレート３および／またはリモートコントロールモジュール４または４’からの命令によって開ける。
【００４９】
ストリートプレート１は、内部プレート３、３’、または３’’のどれかからの命令を通じて、対応ポーチまたはアクセスの開扉と共に、ストリートプレート１と内部プレート３、３’、３’’との間にオーディオビジュアル通信が可能になるように、住居の１つまたはそれ以上の内部プレート３、３’、または３’’に連結されている。この実施例における開扉装置はまた、ディジタル化・登録・制御ブロック２をも有しており、これもまた図１および２に示されており、これは、ストリートプレート１と内部プレート３、３’、３’’との間に連結されており、開扉装置のための機能制御手段と共に、音、影像、およびデータの登録、再生、およびプロセッシングのための手段を有する。
【００５０】
内部プレート３または３は場合によっては、リモートコントロールモジュール４または４’によって補足されていてもよい。前記リモートコントロールモジュールは、ストリートプレート１とのオーディオおよびデータ通信、およびテレビジョンセット６０を介した前記ストリートプレート１とのオーディオビジュアルおよびデータ通信を可能にするリモートコントロール４として取り扱われてもよい。さらには、前記リモートコントロールモジュールは、直接あるいはテレビジョンセット６０を介して、前記ストリートプレート１とのオーディオビジュアルおよびデータ通信を可能にするスクリーン４６が備えられているポータブル移動ユニット４であってもよく、さらにはこのポータブル移動ユニット４によって、ポータブルテレビジョン機能が可能になる。
【００５１】
他方で、各々の内部プレート３、３’、３’’は、ディジタル化・登録・制御ブロック２と共に、場合によっては遠隔ローカライゼーションモジュール５に連結可能である。このローカライゼーションモジュール５によって、開扉装置のオーディオ、ビデオ、データ、および制御通信が、リモートコンピュータ７０、遠隔電話８０、または同様なものに、通信ネットワーク９０を介して関連付けられる。この実施例における開扉装置は、各ユーザーの要求条件に応じて、次の６つの異なる構成として構築されてもよい。したがって次のものがある：
−　ストリートプレート１、内部プレート３、およびディジタル化・登録・制御ブロック２から成る第一構成または基本構成。
−　ストリートプレート１、内部プレート３、ディジタル化・登録・制御ブロック２、およびリモートコントロール４から成る第ニ構成。
−　ストリートプレート１、内部プレート３、ディジタル化・登録・制御ブロック２、および遠隔ローカライゼーションモジュール５から成る第三構成。
−　ストリートプレート１、内部プレート３、ディジタル化・登録・制御ブロック２、リモートコントロール４、および遠隔ローカライゼーションモジュール５から成る第四構成。
−　ストリートプレート１、内部プレート３、ディジタル化・登録・制御ブロック２、およびポータブル移動ユニット４から成る第五構成。
−　ストリートプレート１、内部プレート３、ディジタル化・登録・制御ブロック２、ポータブル移動ユニット４、および遠隔ローカライゼーションモジュール５から成る第六構成。
【００５２】
ストリートプレート１およびディジタル化・登録・制御ブロック２は、いくつかの内部プレート３、３’、３’’を有し、かつ前記６つの構成のあらゆる組合わせを有していてもよい開扉装置において、すべてのユーザーが共有する。
【００５３】
ディジタル化・登録・制御ブロック２は、オーディオビジュアル信号をディジタル化し、その後の使用のためにこれらを記憶することを目的として、これらのオーディオビジュアル信号を適切に処理するというタスクを有する。このブロック２におけるこれらの要素の物理的な位置は、これが個別使用であるか、あるいは集合的使用であるかに応じて、開扉装置のタイプによるであろう。個別開扉装置において、このブロックは、内部プレート３のモニター３６と共に、建物の内部に配置されていてもよい。逆の場合、集合的使用のための開扉装置においては、これはその機能を最適化し、コストを低減させることを目的として玄関ホールに配置される。
【００５４】
ディジタル化・登録・制御ブロック２は、次の装置を有する：
−　アナログ／ディジタルコンバータ２２：これらによって、オーディオおよびビデオ信号のディジタル化が可能になる。これらのコンバータは、例えばＣＭＯＳカメラのように、アウトプットがディジタルであるようなセンサーが用いられているならば、省かれてもよい。
−　アナログ／ディジタルコンバータ２３：これらは、前記のものの反対の機能を果たす。すなわち既に圧縮解除（ｄｅｃｏｍｐｒｅｓｓ）されたディジタル信号から出発して、もとのアナログ信号を再構成する。
−　コンプレッサー２６：メモリにひとたび記憶されたら、できるだけ最小の空間を占めることを目的として、これらによって、ディジタルフォーマットにおけるオーディオビジュアル信号の圧縮が可能になる。
−　デコンプレッサー２７：これらは前記のものの反対の機能を果たす。すなわちこれらは、圧縮されたオーディオおよびビデオデータをメモリから取り出し、アナログ／ディジタルコンバータ２３へのその後の送出しに適するようにこれを圧縮解除する。圧縮および圧縮解除機能を実行するためには、「コデックス（ＣＯＤＥＣＳ）」（エンコーダー／デコーダー）として知られている装置を用いることができる。これによって、これらの２つの機能を果たすことに加えて、ビデオおよびオーディオ信号とリアルタイムに機能することができる。大部分の場合これらの装置は、スクリーン書き込み装置を含んでいる。これは、より一般的には「スクリーンディスプレイ上のもの」として知られており、これによって、ビデオ信号上への直接の文字の書き込みが可能になる。
−　オーディオプロセッサー２４：これは、捕らえられたビデオ影像での、ズーム、回転操作、フィルタリング、コントラスト等の実施を可能にする装置から成っている。
−　オーディオプロセッサー２５：前記のものと類似しており、これは、ひとたびディジタル化された音を用いて様々な操作を行なうことができる（イコライジング、フィルタリング、ひずみ等）。
−　記憶メモリ２８：このシステムは、建物の外部または内部からであれ、電話装置からであれ、オーディオビジュアルデータを、ひとたびディジタル化されたら、リアルタイムに記憶するメモリを有する。このメモリは、読み／書きであり、どのベルを鳴らした時でも、捕らえられたシーケンスと共に、所有者の不在の場合、建物の玄関ホールから人々によって録音されるメッセージを入れておく。このようにしてこれによって、生活共同体全体に向けられたメッセージと共に、この建物内の住居のどこからの電話を介してでも、呼び出している人々へのメッセージが記憶される。
−　メインプロセッサー２０：これは、ストリートプレートのキーボードからの命令を見張り、作用のステータスについて知らせるために光（ｉｌｌｕｍｉｎａｔｅｄ）または音のインジケーターを利用し、住居からの手動プッシュボタンを介してであれ、遠隔電話によってであれ、玄関ホールドアの遠隔開扉を可能にし、建物の内部に位置するプロセッサー（住居プロセッサー３７）との通信を確立する。さらにはメインプロセッサー２０は、データの捕捉、送信、同期化、および再生を監視するディジタル化および制御装置と相互作用を行なう。
−　メインメモリ２１：このブロックのメモリは、このシステムが構成されているデータベース、アクセスキー、データ、および呼び出しの時間、遠隔ローカライゼーションのための電話番号等を記憶するために用いられる。
−　増幅およびフィルタリング段階：これらによってアナログ信号は、再生器においてよりシャープでより忠実な信号を得ることを目的として、望まれない信号のフィルタリングと共に増幅される。
【００５５】
内部プレート３、３’、または３’’のアスペクトおよびコンテンツのどちらも、実行された開扉のタイプに応じる。したがって開扉装置の前記第一構成および第三構成のための内部プレート３は、次の要素を有する：
−　キーボード３１：ストリートプレート１とは異なって、このブロック３のキーボードは、住居プロセッサー３７のマイクロプロセッサーと相互作用を行ない、玄関ホールドアの開扉、オーディオビジュアルメッセージの再生、不在メッセージの記録、緊急ローカライゼーション用電話の導入、および一般的にはこのシステムを構成するためのメニュー上のオプションの選択を可能にする。
−　インジケーター３２：これらは、いつでもこのシステムのステータスを示しており、このモードでは、記録されたメッセージ、故障、または機能不全があるかどうかが分かる。
−　マイクロフォンロホン３２：これによって、ストリートプレート１から呼び出した人が聞くことができる音が捕らえられる。
【００５６】
ラウドスピーカー３４：これはエントランスホールから捕らえられた音声を録音された伝言とともに再生する。この信号をケーブルもしくは無線周波数を用いて居住施設のテレビセット６０に直接送信することが可能となる。
【００５７】
画面３５上への書き込み装置：これは「画面表示」としての方が一般的に良く知られているが、これらの装置が文字や記号を映像信号と重複できるモニターや画面上に直接書き込めるようにしている。これらの装置の助けを借りて、テキストメニューが、後で内部プレート３のモニター３６上もしくはテレビセット６０で表示されるシステムを構築のする為に作成される。
【００５８】
モニター３６：これはリアルタイムにカメラ１１により撮影されたビデオシークエンスを録画画像とともに一覧できるようにしている。同様にシステム構成メニューを一覧することも可能にする。ドア開閉装置の基本構成や第一構成においては、モニター３６は内部プレート３と一体化されている。
【００５９】
居住施設プロセッサ３７：それぞれの居住施設はプロセッサ３７を備えており、これはエントランスホール（メインプロセッサ２０）内でそのホモニムと通信することを可能にしている。この通信プロトコルはこの両者の間で使用されている。共同使用システムにとってメインプロセッサ２０は、応答しなければならない居住施設プロセッサ３７を選択する作業が割り当てられており、さらに特定の命令を送信するプロセッサ３７を識別しなくてはいけない。その一方、居住施設プロセッサ３７は、さらにキーボードから直接入力された命令を実行する。要求された際に、システムのステイタスのユーザー及び作成したメニューのための画面３５への書き込み装置に対して警告するために指示器３２が使用される。
【００６０】
メモリー３８：住居施設内内に位置する内部プレート３は、正しく動作するためにシステムに提供される変数が蓄積されるところに読み込み／書き込みメモリーを具えている。このメモリー中において、システムは所有者の居場所を検索する急務がある場合には、表示されていないメッセージナンバーやパーソナルアクセスコードなどに対して通知するために電話番号を蓄積している。
【００６１】
内部プレート３は、図３に示す通りセンサー用外部端子やシリアルバスやサプライとともに外部映像出力端子や外部音声出力端子を備えた接続ブロック３０も兼ね備えている。その上、この内部プレート３は、居住施設プロセッサ３７に接続されたブザーもしくは音響警告装置０１も具えている。
【００６２】
ドア開閉装置の第５構造もしくは基本的ポータブル構造は、図５に示す通りであり、その内部プレート３とポータブル携帯用装置４が図示されている。第５、第６ポータブル構造は、最新のシステムであり基本システムと同様の機能を実行する自主性を与えられたポータブル装置４の製造に基づいている。しかしながらこれらはまた使用者に対して卓越した快適さを提供する。この装置は、コードレスフォーンに類似しているが、家の中のどこからでもシステムを取り扱えるようにしてくれる。再充電式バッテリーとこの装置の一式は、カラー液晶画面４６とともに訪問者を映し出し、テレビセット６０といった外部装置からの視聴覚信号を再生してくれる。このようにポータブルテレビにつながっている。
【００６３】
この装置４が提供できる快適さと同様に審美的な機能について述べていく。我々が提案するようなポータブルシステムの取り付け装置として、内部プレート上のモニターや従来の電気式ドア開閉装置のイヤホンといった部品をむきだしにして見せることは敬遠され、ある特定の住居施設においては審美的でないこともある。ポータブルシステムを具える際、どこでも設置しても良いが、もし希望するならば簡単に見えない場所でかつ簡単に利用しやすい場所に設置される。
【００６４】
ポータブルシステムを実行するには、内部プレートが充分に充電されなければならない。これらの充電は、これから取り外し可能ないくつかの装置やポータブル携帯装置４への付加装置からなっている。
【００６５】
このようにポータブル構造のための内部プレート３は、以下のような要素からなっている：
画面３５への書き込み装置、読み込み／書き込みメモリー３８及び同様にエントランスホール内でホモニム２０と伝達を可能にし、居住施設プロセッサ３７を具えており、携帯装置４からの命令を実行する。
【００６６】
さらに内部プレート３には、視聴覚信号やデータを送受信するために無線周波数回路を有することが必要である。これらの回路は内部プレート３と携帯装置４との間の遠隔通信を可能にしている。このように、内部プレート３は以下の装置を備えている：
視聴覚信号送信器３９Ａ：この回路はエントランスホールから送信されてきた視聴覚信号や数値化、登録及び制御ブロック２内で記憶されたメッセージを対応するモデム５０の出力信号とともに送信する。スイッチ手段により、我々は外部装置から「外部映像」及び「外部音声」の内部プレートの入力接続端子３０に接続された変調装置への入力信号としての信号を選択することができる。もし我々がテレビセット６０のユーロコネクターの映像及び音声外部端子にこれらの入力を接続する場合、テレビのチャンネルの一覧を可能にするために、これらの信号は変調され、携帯装置４に送信される。
【００６７】
音響受信機３９Ｂ：この回路は一度ポータブル携帯装置４で復調してから、ポータブル携帯装置４のマイクロフォン４２からの視聴覚信号を受信し、希望の場合は、エントランスホールのラウドスピーカー１３もしくは電話８０やコンピュータ７０といった再生装置で各住民に聞こえるようにする。
【００６８】
データトランシーバー３９Ｃ：コマンドの送信／受信のためのものであり、我々は無線もしくは赤外線を介してデジタルデータを操作するために当然その他の回路を必要とするであろう。この回路は、両方のプロセッサにその他のラインから来た遠隔命令を実行させる通信プロトコルを用いてポータブル携帯装置４のプロセッサ４８と居住施設プロセッサ３７を接続させる。
【００６９】
その他の装置（キーボード３１、モニター３６、ラウドスピーカー３４、マイクロフォン３３及び指示器３２）は、携帯装置４の一部を形成するために伝達する内部プレート３から取り外し可能であるが、この携帯装置４へ適応させる際に、差異を見せる場合はその他の関連部品ともに取り外される。このように前述した装置は図５に示す通り、キーボード４４、ＬＣＤカラースクリーン４６、ラウドスピーカー４３及びマイクロフォン４２に対応している。
【００７０】
この実施例におけるドア開閉装置において、遠隔操作モジュールは、遠隔操作４もしくはポータブル携帯装置４で処理することが可能である。このモジュール４もしくは４は、基本構造に対して追加されるものであり、ポータブル構造については必須である。その名前が示す通り、これはシステムを遠隔操作するためのものである。遠隔操作モジュール４の付加は、音声と映像を特定のテレビチャンネルに送信する内部プレートに少なくとも１以上の視聴覚信号送信回路３９の導入を強制するものである。この周波数にテレビセットを同調することにより、視聴覚信号はシステムへの入力において前述したテレビセット６０の画面やラウドスピーカーによって再生される。
【００７１】
一方、内部プレート３は、道路側プレート１のラウドスピーカー、記号化、登録及び制御ブロック２もしくはモデム５０につながった遠隔装置４のマイクロフォン４２からの音声信号を受信することが可能である。同様にして、プレート３は、エントランスホールのドアを開けたり、システムを構築したり、メッセージを再生するなどを行う遠隔装置４のキーボード４４からの命令を受信することも可能である。遠隔装置４を用いた基本的な構成は、図４に示す通りである。次に挙げる部品は、対応する内部プレート３へそれぞれ付加される（基本構成の内部プレート３に関して）。：
テレビチャンネルの送信器３９：この装置は、エントランスホールからのアナログ音声及び映像の構成要素を同時に含んだ無線を介して信号を送信する。送信周波数にテレビチャンネル６０を適正に同調し、モニターもしくは外部テレビ６０に画像が表示され音声を聞くことができる。
【００７２】
データトランシーバー３９Ｃ：コマンドを送受信する為のものであり、我々は無線もしくは赤外線を介してデジタルデータを操作するために当然その他の回路を必要とするであろう。この回路は、両方のプロセッサにその他のラインから来た遠隔命令を実行させる通信プロトコルを用いてポータブル携帯装置４のプロセッサ４８とドエリングプロセッサ３７を接続させる。
【００７３】
音声受信機３９Ｂ：これは遠隔装置４のマイクロフォン４２で捕らえられた信号を受信し、道路側プレートのラウドスピーカー１３、モデム５０もしくは記号化、登録及び制御ブロック２に直接送信する。
【００７４】
一方、遠隔装置４は、以下の構成要素で構成されている：
制御回路４０：遠隔装置は、制御回路を具えており、これは遠隔装置４を構成している全ての装置間を便宜的に相互接続している。基本構造において、同じ制限された動作の結果、制御回路にとってマイクロプロセッサーの導入の必要なく製造さすることが可能となる。
【００７５】
データ送信機４１：記述した３９Ｃと同様である。
【００７６】
音声受信機４１：記述した３９Ｂと同様である。
音声送信機４１Ｄ：これは遠隔装置４のマイクロフォンで捕らえられた信号を送信し、その信号を内部プレート３の音声受信機３９Ｂに直接伝達するため、道路側プレート１のラウドスピーカー１３、モデム５０もしくは記号化及び制御ブロック２へ順次直接送信することができる。
マイクロフォン４２：これは道路側プレート１からの来客との対話を可能にする。
【００７７】
ラウドスピーカー４３：遠隔装置のラウドスピーカーは、エントランスホールから捕らえられた音声を録音されたメッセージとともに再生する。
キーボード４４：遠隔装置はシステム全体の取り扱いを可能にする為の手段により内部プレート３の３１に類似するキーボードを具えている。
指示器４５：同様に遠隔装置４は、通常、聴覚障害をもつ人のためのサポート機能として、ユーザのメッセージを保留していることや、外部からの呼び出しを警告する目的で発光及び音声指示器を有している。
【００７８】
バッテリー４７：これらは遠隔装置４に自立性を与えるためのものである。これらのバッテリー４７は再充電可能もしくは希望する場合は非充電式となる。
一方、図５に示されたポータブル携帯装置４は、リアルタイムに画像及び視聴覚メッセージを再生するが、とはいえ、これは前の遠隔装置４よりも改良された装置であり、この構成部品はこの制御装置４と同様であり、例外的に以下の構成要素を含んでいる：
視聴覚信号受信機４１Ａ：これは液晶表示装置４６上で携帯装置４により受信された視聴覚信号を再生する。
【００７９】
データトランシーバー４１Ｃ：内部プレート３における記述した３９Ｃと同様である。
音響送信器４１Ｄ：これは携帯装置４のマイクロフォン４２で捕らえられた信号を送信し、内部プレート３の音声受信機３９Ｂに信号を直接伝えるので、道路側プレート１のラウドスピーカー１３、モデム５０もしくは記号化及び制御ブロック２へ順次直接送信することができる。
【００８０】
モニター４６：既に解説したように、基本構造のための内部プレート３を具えたモニター３６は、携帯装置４の一部を形成するため伝達を消滅することができる。この場合、モニター４６は、小型化されたカラー液晶表示装置からなっており、テレビセットをあちこちに動かしたり、電源を入れる必要性なく、画像を表示することができる。
プロセッサ回路４８：これが実行する機能が複雑であるために、携帯装置４はマイクロプロセッサを追加することが必要である。
【００８１】
最後に、携帯装置４は制御のために、また道路側プレート１や電話という手段を介して来客との会話を可能にする電話、ラウドスピーカー４３及びマイクロフォン４２を整え、テレビセット６０の音声信号を再生するために構造中にキーボードを具えている。
【００８２】
遠隔局限モジュール５はドア開閉システム内に具えられ、基本構造及びポータブル構造の両方に対して、電話モデム５０を内部プレート３、３もしくは３または記号化及び制御モジュール２（図１に図示されている）に追加しなければならない。この回路は、電話の呼び出しシステムを管理し、エントランスホールのドアを遠隔操作して開閉し、住民との会話を確立する仕事が割り当てられる。一つのモジュールで全ての住民が対応するサービスを受ける場合、エントランスホール内の遠隔局限モジュール５の位置決めの事実は、記号化、登録化及び制御ブロック２とともにコスト削減のために重要であることが想定される。図６に示されるこのモジュール５を構成する装置は、以下の通りである：
電話線５１：電話線は外界との通信を確立するために必要となる。この線は、居住施設の所有者と同一人によって所有することも可能であり、その他の使用者と共有することも可能である。この線は、仮に彼らが携帯電話を持っている場合や固定された電話を介して特定の場所にいる場合、居住する所有者がどこにいようともシステムを使用できるようにする。一度所有者の位置を確認し、通信を確立したら、二人の話者はなんの問題もなく会話できる。必要に応じ、鍵を押したり、事前に設置しておいたこれらの組み合わせを使って所有者は電話からエントランスホールのドアを開けることも可能である。このシステムは、特別な電話オペレーターに頼ることなく様々なタイプの線を使用して操作することができる。もちろん線のタイプによっては、我々はモデムもしくはその他のタイプを必要とする。
【００８３】
モデム５０：これはエントランスホールにいる話者と所有者とを電話線を介してメッセージを再生し記録する為の遠隔電話８０とドア開閉システムとの間のデータの送受信とともに通信できるようにする。同様に、遠隔電話８０を介していつでも不在メッセージの修正や新しいそれを記憶できるようにする。所有者が不在の場合、モデム５０は、いつでも電話の呼び鈴が聞こえた後で通信を確立する。一度ドア開閉システムとの通信が確立したら、遠隔ユーザは音声メニューに従って希望する命令を正確に実行させる。このように警告機能、ホームオートメーション機能、メッセージの再生、メッセージの記録などが構築される。さらにモデム５０は、システムに電話及び自動受答え機能も提供する。一方、従来の電話を用いてドア開閉システムが使用でき、不在の場合は留守番電話に不在メッセージを再生させる。最後にこのモデムは、コンピュータ７０を介してシステムに遠隔アクセスを提供する。この場合、記述した全ての機能を実行できるようにするのと同様に、我々はまた映像成分を再生することができる。遠隔通信ソフトは、ラインがそれを許容するかにどうかに応じてリアルタイムに音声と映像を再生するラインのスピードに適応する。もしＡＤＳＬ（非同期デジタル加入者回線）もしくはＩＤＳＮ（統合デジタル通信網）で操作している場合、速度はＢＴＮ（基本電話通信網）で操作している場合に比べて非常に早くなる。モデム５０のタイプによって我々はまたかかってきた電話番号の識別やデジタルデータの全てのタイプを送信、ハンドフリーやファックスを介しての通信などその他の特徴を得ることができる。ＧＳＭモデムを採用した場合、我々はまたＳＭＳメッセージの送受信の可能性も得ることができる。
【００８４】
既述してきた電気式ドア開閉装置の通常の機能は、以下の通りである：
電気式ドア開閉装置の道路側プレート１の住民に対応するキーが押されるごとに、ベル０１は内部の人に呼び出しが鳴ったことに対して知らせるために鳴る。所有者は、内部プレート３もしくはテレビセット６０のモニター３６の画面上に映った人を見ることができ、もし彼らがそれが好都合と考えるならば、彼らは内部プレート３のキーボード３１上にある開放ボタンを押してエントランスホールのドアを開放することができる。
【００８５】
ベルを繰り返して押した場合、もしくは待ち時間の後（構成される両方のパラメータ）、仮に所有者が応答しないならば、記号化、登録化及び制御ブロック２は、状況を制御し、次のような事項が起きる：
メインプロセッサ２０はメモリー２１内に記憶された所有者が呼び出されたときの不在メッセージの場所を見つけ、エントランスホールのラウドスピーカー１３を介して呼び出された住民に対応する不在メッセージを再生する。この場合、訪問者は所有者が不在もしくは彼又は彼女に与えられた彼等の居場所に関する指示を通知されることになる。例えば以下のようなメッセージが考えられる。「こちらはアンとジョンです。あなたがメッセージを残したい場合は、ベルをもう一度押して下さい」または「ヘレン、アンがあまりよくないので私達は病院に行っています。戻るまで待っていてください」等である。
【００８６】
システムは、それに応じてメッセージを修正する。さらに第一の例にもあったようにシステムそれ自身が訪問者に対してメッセージを残すように促すことが可能である。
【００８７】
ここで、訪問者のメッセージを記録したいと望む人がいると仮定する。不在メッセージおよびシステムにおいて示したキーおよびキーの組み合わせが、以下の音声メッセージを返答する。
「メッセージを録音するために２０秒ありますので、信号を聞いてから始めてください。」いったん示されている信号が鳴ると、カメラ１１及びマイクロフォン１２がメッセージに対応するビデオ及び音声の捕捉を開始するだろう。記録の最初から、ビデオ信号及び音声信号は、Ａ／Ｄ変換器２２によって捕捉され、処理され、補助的なビデオメモリ及び音声メモリの助けを借りて適切に圧縮され、最終的にメインメモリ２１に記憶される。このプロセスの制御のためには、私達が、部分的に信号の同期を担当するだろうプロセッサ２０の補助を必要とすることは明らかである。
【００８８】
メッセージは、協会に属しているとして特徴付けられ、ある特定の時間期間が経過するとシステムによって自動的に正しく削除されるため、この方法によって記録されるメッセージは、これらの一人一人にレプリカを作成しなくても所有者協会の会員が入手することができる。
【００８９】
過去に残された訪問メッセージの複製に関して、所有者は自分達の住居に戻ると、その内部プレートに点灯したインジケータ３２が点滅し、彼らに記録されているメッセージの存在を警告しているのに気付くだろう。これらのメッセージを複製するためには２つのオプションがあるだろう。
【００９０】
第２オプションは、私達が、単にこの中に組み込まれているメッセージを複製するためのキーを押すだけで、テレビセット６０のある特定のチャネルでメッセージを複製することができるような方法で遠隔制御モジュール４を使用することから成り立つ。このキー４４が押されると、私たちは無線周波数信号を内部プレート３に伝送するだろうデータトランシーバ４１Ｃに関して行動するものとする。この信号は、その同音異義語３９Ｃによって受信され、第１オプションで複製機能を実行するためにプログラミングされるだろう休止中のプロセッサ３７によって解釈されるだろう。システムは、デジタル化及び制御モジュールから複合アナログビデオ信号を入力ビデオとして採取し、それを必要とされるチャネルの周波数に変調し、テレビチャネル送信機３９によってテレビセット６０にそれを伝送するだろう。この場合、私達は、テレビセット６０の画面のビデオシーケンスを見て、そのラウドスピーカで音声を聞くものとする。
【００９１】
私たちが携帯型構成の１つを有する場合、私たちは移動装置４を使用して前記機能を実行できるものとする。前記オプションだけではなくこの場合でも、私達は、実装される液晶ディスプレイ４６を介して複製を実現することもできることとする。
【００９２】
複製装置がビデオの複製を可能とするとき、所有者がこれがどのくらい古いものなのかを知ることができるようにするために、メッセージを記録する日付及び時刻が、場面の上に表示されるだろう。同じようにして、存在しているすべてのもので複製されているメッセージの数を示す数値型符号が表示されるだろう。メッセージ番号２のケースでは、複製されている合計４の中から、２／４が画面上に表示されるだろう。
【００９３】
メッセージの削除に関しては、いったん訪問メッセージが画面上で表示されると、それらは、必要なモジュールの可用性に従って、電話または遠隔コンピュータ７０を介して、内部プレート３、遠隔制御モジュール（リモートコントローラ４または移動装置４）のキーボード１３を使用して削除できるだろう。メッセージの削除に留意することを希望しない場合、システムは、いったん数日が経過すると、またはこれらの所定数が存在するときに、それらを自動的に削除することができるだろう。後者のケースでは、メッセージは、これらを記録した日付によって削除され、これらのメッセージの最も古いものが最初に削除される。
【００９４】
不在メッセージを修正するためには、適切な方法でキーを押すことで十分であり、システムがそれを示すとき、私達は記録を開始し、システムに音声信号を入力するためにマイクロフォン３３を使用することができる。デジタル化された音声は、過去のものに上書きすることにより、これらのメッセージ（あらゆる住居（ｄｗｅｌｌｉｎｇ）がメモリアドレスを有するだろう）を記憶するために宛てられているメモリアドレスに書き込まれるだろう。
【００９５】
ドア開放システムを自動応答電話として使用することができるためには、遠隔ローカリゼーションモジュール５を有することが必要である。いったんこのモジュールがある特定の住居に設置されると、システムはその存在を認識し、電話及び留守番電話機能を自動的にイネーブルする。留守番電話メッセージを記録または修正するには、過去の点で記述される同様のプロセスに従うことで十分だろう。
【００９６】
提案されているシステムは、誰かが私達の住居の玄関ドアの呼び鈴を押すたびに分離された音、音楽トーンまたはまたは音声メッセージの複製を可能にし、これらは構成メニューから選択することができる。このようにして、私達は、聴覚障害のある人たちが呼び鈴０１をさらによく聞くのを助けることができる。また、ブロック３０の外部コネクタのおかげで、私達は、誰かが呼び出すと、従来のベルの代わりにこれらがイネーブルされるように、システムにより大きな音のサイレン及び点灯したインジケータも加えることができるようにするものとする。
【００９７】
テキストメニュー。テキストメニューの表示は、ビデオをサポートするすべての複製装置で考えられるだろう（内部プレート３６のモニタ、遠隔装置４６の液晶ディスプレイ、テレビセット６０、遠隔コンピュータ７０等）。私達が複製装置を構成するためのスイッチを押すと、オプションメニューが、例えば、以下のようなこれの画面に表示されるだろう。
１．−メッセージ
２．−日付と時刻
３．−電話番号
４．−調整
メッセージメニュー
１．メッセージを複製する
２．メッセージを削除する
３．所有者協会の会員にメッセージを送信する
４．メッセージを修正する
【００９８】
音声メニュー：音声メニューは、私達が、例えば、電話、ストリートプレート１等のビデオを表示することを可能としない複製装置を使用するときにさらに適切だろう。このケースでは、システムは、メニューオプションで音声メッセージを複製するだろう。有効なキーが押されると、対応するサブメニューが連続して起動される等だろう。
【００９９】
さらに、
−メッセージ、日付及び時刻に関する一般的な情報
−カレンダ
−緊急電話等
に関する情報メニューもあるだろう。
【０１００】
ブロック内のその他の住居で呼転送機能を実現するためには、少なくともシステムの二人のユーザがそれを操作しなければならないだろう。これらの第１が、呼転送の実行を希望する住居の所有者であり、第２ユーザが、呼が転送されなければならない住居の所有者だろう。これらの第１は、彼の呼が、メニューオプションにいって、またはコマンドと彼の秘密コードによってシステムに転送されるだろう住居を示すだろう。システムは、呼転送に対する要求が存在することを知っているが、受信する住居が、自分が第１所有者の住居から呼を受け取ることを希望することを示すまでそれに留意しないだろう。
【０１０１】
呼転送メニュー
１．住居への転送
２．電話への転送
３．転送の受け入れ
住居への転送
１．呼が転送されなければならない住居の数を示す。
転送の受け入れ
１．転送される呼を受け入れるだろう住居の数を示す。
【０１０２】
このようにして、ストリートプレートから第１所有者の住居に対してかけられるすべての呼び出しが第２所有者の内部プレートのベルで聞こえ、所有者が在宅しているかどうかに関して、侵入者を混乱させるだろう。
呼転送機能は、必要とされるだけ頻繁に適用することができ、同じ所有者は多様な転送を記憶することができる。
システムがその基本的な構成の中で許可する機能の内の別のものとは、自動メッセージ機能である。
【０１０３】
自動メッセージは、システム、内部プレート３，３，３、ストリートプレート１、市内電話または市外電話８０、またはリモートコンピュータ７０に接続することができる任意の装置から記録されるだろう。自動メッセージ自体の複製は、過去の装置のどれかから実行されるだろう。
システムの使用を簡略化する目的で、最も以前に読み取られたメッセージが自動的に削除できるようにする自己管理機能が提供されている。このようにして、ユーザは、いったん定義可能な時間期間が経過すると、システムが自動的にそれらを削除するため、記憶されているメッセージをどのようにして削除するのかを学ぶ必要すらない。
【０１０４】
この例では、ドア開放システムの特徴の内の別のものは、システムにストリートプレート１のキーボードを介して呼び出す人物の自動的な記録を提供する可能性から成り立つ。このようにして、人物がメッセージを残すかどうかに関係なく、システムは、呼び出している人物の音声シーケンスを採取し、それにより同が著者に対して発生するケースで彼／彼女が特定できるようにするだろう。
【０１０５】
内部プレート３，３，３は、外部装置を接続するために使用できるだろう入力及び出力のためのコネクタブロック３０を有するだろう。これらの装置は、システムに警報機能などの非常に興味深い機能を提供できるだろう。入力（おもにセンサ）と出力（開閉器、中計器、サイレン等）の両方ともで装置を接続することができるだろう。これらのすべては、１本は供給用、もう１本は接地または集団（ｍａｓｓ）用、及び装置の種別に応じた入力出力アナログ回線である３本の回線を有するだろう。使用されるコネクタに応じて、システムは、それが入力装置なのか、あるいは逆に出力装置であるのかを自動的に認識するだろう。いったん接続されるト、構成メニューは、装置が上昇側でイネーブルされるのか、あるいは降下側でイネーブルされるのか、及びどのイベントがどのデバイスに関連付けられているのかを示すためにアクセスされなければならないだろう。このようにして、特定の電話番号をダイヤルすることによって、煙見地器をサイレンまたは存在検出器のトリガと関連付けることが可能だろう。外部接続は、ユーザ自体が考える可能性のあるサービスをシステムに提供するために非常に有効である場合がある。
【０１０６】
住居内の多数の電気回線の設置に関連する困難のために、住居を目標とする装置及びシステムのさらに大きな部分は、直列型バスと動作する。実現されることが意図されるシステムのすべて、及び家庭自動化規格ＰＲＯＦＩＴＢＵＳ，ＥＩＢ等及び電子規格１２Ｃ、ＣＡＮ、ＲＣ２３２等は、共通してデータ伝送用の２本の回線を使用する。直列バスによって装置システムに接続する可能性は、新しい開発のために多くの可能性を開くことができ、既存のシステムは即座に現在のシステムに結合することができる。
【０１０７】
他方で、リモート・ローカライゼーション・モジュール５は、オーナーの住居内に設置された任意の電話を私用することにより、オーナーによって予め確定された探索の実行を可能にする。このモジュール５の起動は、下記のように実行される。
【０１０８】
住居の呼出しの後に、
「はい、アンとジョンです。伝言の録音を希望される場合はもう一度ベルを鳴らしてください。居所を知りたい場合はこちらのリモート・ローカライゼーション・コードを打ち込んでください。」
といった不在メッセージが流されるものと仮定する。
【０１０９】
コードが正確に打ち込まれると、ユーザは次のようなメッセージを受信する。
「コードよし。ジョンの携帯を呼び出したい場合は１を、アンの携帯を呼び出したい場合は２を、ジョンの職場を呼び出したい場合は３等々を押してください。」
必要な番号が押されると、システムは要求された番号をデータベースで探索し、オーナーとの電話通信を達成して２名の話者を接触させる。一旦通信が達成されれば、遠隔の話者は電話での会話であるかのように玄関ホールにいる者と話すことができる。オーナーが希望すれば、オーナーは、彼しか知らない組合せのキーを押すことによって玄関ホールのドアを開けることができる。
【０１１０】
自動開放システムを組み込めば、遠隔から私設のアクセス・ドアを開けることも可能であるため、コネクタ・ブロック３０によってさらに先へと進むことができる。
また、センサが起動されると、システム自体は自動的にオーナーのリモート・ローカライゼーションを利用することができる。この場合、システムはかける電話番号をメモリで探索し、希望に応じてオーナー、警報センターまたは警察との接続の達成を試みる。この接続が達成されると、起動されている警報の原因並びに関連データを示す音声メッセージが流される。
【０１１１】
この例において提案されているドア・オープナの使用により、玄関ホールのドアは、アクセス・コードを使用して玄関ホール自体から開放されることも可能である。この場合は、制御システム自体がコードの正当性を確認した上でその行為を実行する。この機能は、玄関ホールのキーを忘れたときに役立つものであり、よって子供達は両親が不在であっても路上に置き去りにされることなく、玄関ホールに設けられている可能性のある応接室でゆったりとオーナーの到着を待ったり、郵便配達人が毎日立ち寄る必要がなくなったりする。
【０１１２】
このドア・オープナに電話機能を持たせる場合にも、リモート・ローカライゼーション・モジュール５を設置する必要がある。このモジュール５は、電話機能を可能にするモデム５０を含んでいる。
【０１１３】
ある人がこの電話を介して建物内の１つの住居を訪れると、幾らかの呼出し音を待った後または特定の時間の後（これらのパラメータは共に、ユーザによって設定が可能）に、システムがモデム５０へ着信呼に応答するために必要な命令を送る。これに続いて、留守番電話の不在メッセージが起動され、発呼者の電話のイヤホンで再生される。不在メッセージが再生されると、オーナーが後に再生することのできる音声メッセージの録音が可能になる。
【０１１４】
呼出しの発生時点でオーナーが在宅であれば、オーナーはあるキーを押すだけで、（保有するドア・オープナのモデルに依存して）内部プレート３内の電話から、リモート・コントロール４から、もしくは移動ユニット４から電話に出ることができる。この瞬間以降、接続は確立され、再生デバイスのマイクロフォンとスピーカとが各々会話に必要な音声の捕捉及び再生に使用される。
【０１１５】
電話モードで機能する場合、システムは下記のように作動する。着信呼の受容ボタンが押されるたびに、再生デバイスは住居プロセッサ３７に命令を送り、住居プロセッサ３７はこの命令を翻訳してモデム回路５０に送る。同様に電話をかけるためのキーが押されると、システムは一連の数字が入力されることを許容し、これらは入力の都度再生デバイス上に表示される。発呼される番号が形成されると、キーを押して発呼が確立される。この瞬間に、住居プロセッサは、必要な開始コマンドをダイアルされる番号と共にモデム５０に送る。
【０１１６】
移動ユニット４に関するその最も魅力ある特徴の１つは、これが従来のテレビジョン信号の再生を可能にすることにある。表示されている通り、携帯式移動ユニット４は、デジタルデータに対応するオーディオビジュアル無線周波数受信デバイス４１Ａと無線周波数信号データトランシーバ４１Ｃとを含んでいる。チャンネルＡの選択キーが押されると、データトランシーバ４１Ｃを介して内部プレート３へコマンドが送られる。住居プロセッサ３７はこれを解明し、玄関ホールまたはデジタル化及び制御モジュールに対応するビデオ入力Ａを選択する。同様にして、移動ユニット４の液晶ディスプレイ４６にテレビ受像機６０の信号を再生したいときは、チャンネルＢを選択するキーを押す。データトランシーバ４１Ｃは、（先のものとは異なる）コマンドを送って住居プロセッサ３７への入力チャンネルＢに切換していることを表示する。携帯可能なテレビ機能を達成するために、住居６０内のテレビ受像機の画像出力信号及び音声出力信号は、各々内部プレート３の画像及び音声入力接続部に接続される。内部プレート３のテレビ受像機６０からケーブル形式の接続を行なう必要なしに移動ユニット４内のテレビ受像機６０を視聴する他の方法は、テレビ受像機６０の画像出力信号及び音声出力信号を３９Ａに類似する送信機モジュールに接続するというものであろう。ユーザのニーズ次第では、上述の方法または他の方法の使用がより便利であろうが、ケーブルを介して接続することがある程度複雑であるケースでは第２の方法が最も実現可能である。これに対してこうした接続が住居の建設の段階で予見される場合には、第１の方法がシステムのコストを節減させる。
【０１１７】
次に、居住用建物のための本発明の可能な実施、及びオーディオビジュアル・メッセージを録音及び再生する場合の本発明の可能な実施について説明する。
【０１１８】
このようにストリート・プレート１は、その全てのコンポーネント、即ちカメラ１１、マイクロフォン１２、スピーカ１３、キーボード１４、インジケータ１５及び開放スイッチ１６と共に使用される。また内部プレート３も、図３が示すように、その基本構造、即ちそのモニタ３６、スピーカ３４、マイクロフォン３３、キーボード３１、画面書込み用デバイス３５、ベル０１他を完備して使用される。さらに、図７が示すようなケーブル接続が存在し、住居プロセッサ３７は全てブロック２のメインプロセッサ２０に接続されている。このメインプロセッサ２０は、何を送信しかつ受信するかを選択するプロセッサである。
【０１１９】
デジタル化、登録及び制御モジュールは、入力及び出力カードと共に音声及び画像を捕獲するためのカードを有するコンピュータで構成されているものと仮定する。音声及び画像を捕獲するためのカードは、アナログ式の音声及び画像を捕獲させ、両信号は、組み込まれたＡ／Ｄ変換器によってデジタル化され、様々なフォーマット（ＭＰＥＧ，ＡＶＩ，ＭＪＰＥＧ）で圧縮される。メモリ内で圧縮されると、これらは同期化されてデジタル・ファイルに記憶され、コンピュータのハードディスクにデポジットされる。
【０１２０】
これらの捕獲カードはまた、逆のプロセスを実行する能力がある、つまり、上述の方法で記録されたファイルがあるとすると、このカードはこれを解凍して１つは音声信号、もう１つは画像信号である２つの同期されたアナログ信号に変換する能力がある。結果的に生じる信号は、もとの信号の正確なレプリカである。
【０１２１】
デジタル式の入力及び出力カードに関して言えば、これはコンピュータ外部のデバイスを制御するタスクを有している。このため、タスクに合わせて作成することのできるプログラムにより、１２８までの入力及び出力の並行監視が可能にされる。このデバイスを保有していれば（問題の建物次第では、この方がより適度であるといえる）、デジタル入力をストリート・プレート１のキーボード１４に接続することにより、建物内の任意の住居にいつ呼が行われるかを容易にチェックすることができる。
【０１２２】
同様に、このカードの出力は、この場合は住居プロセッサ３７を有する通信プロトコルの実施、オーディオビジュアル信号を送信するデバイス及び受信するデバイスの選択並びに玄関ホールドアのスイッチリレー１６の使用可能化を可能にする。
【０１２３】
これに対して、本例におけるメインプロセッサ２０とデジタル化及び制御モジュール２とを置換するコンピュータもまた、オーディオビジュアル信号を捕獲しかつ当該信号を使用して作動するソフトウェア・ルーチンと、建物内の住居の各オーナー別の構成パラメータに関する情報及び制御カードを処理するルーチンとを包含する。
【０１２４】
我々の場合には、このような情報は、このプロセスに介在する変数の全てに関する最新のデータを含むデータベース中に蓄えられる。このシステムが、どのように作動するかを見てみよう：
ある人が、住所用のベルのどれかを押すと、以上のことを照らし合わせた入力カードおよび出力カードが、選択されたインアウトを検出する。この瞬間、呼び出し中の住所をチェックし、呼び出し中の住所をチェックし、発生セグメントの場合には、仮想不履行者を同定するために役立つと思われるショートシケンスを記録し始める。同時に、このシステムは、呼び出しを受けたドアーおよび該ショートシーケンスが記録されているファイル名とともに、データベース中で呼び出しを受けた日時を蓄える。もしオーナーからの応答がないと、ある時間の経過の後に、システムは、主データベース中で問題の住所に対する不在メッセージを含むファイル名を調べ、それを捕捉カードの音声出力に送り、それが、街路板１のラウドスピーカ中で再生される。不在メッセージの再生後、このシステムは、ユーザの呼び出しにより、彼／彼女のメッセージを記録し、入り口の扉を開くか、あるいはオーナーを遠くに位置づけるようにする指示を、データベースからもう一度読み取る。
【０１２５】
これに対して、上記のプロセスの１つをスタートさせるのに必要なキーの組み合わせをある人が押すまで、このシステムは、しばらく待機する（オーナーにより設定できる）。彼／彼女が、メッセージを記録する決心をして、例えば１、２、３、４の組み合わせを、押すと仮定する。各々をプレスするごとに、システムは、入力および出力経由で受け取るデータの値を読み、データベースに蓄えられた数（アクセスコード）とそれを、比較する。この数が正しければ、依頼されたアクションは、実行されるが、もしそうでない場合には、発生セグメントを示すオーデイオメッセージが、再生される。
【０１２６】
入力された数が正しいと仮定する。この場合、このシステムは、その人が、記録開始を示す信号を記録し伝達するために持っている時間を、ユーザに示すオーデイオメッセージを再生する。この瞬間、その人は、街路板１のマイクロフォン１２を経由して、話すことが出来、かつカメラ１１により捕捉されたその人の声と像は、リアルタイムでファイルに記録され、これは、対応するハードデイスクに蓄えられる。
【０１２７】
記録が完了した直後に、以前参照した入力カードおよび出力カードを経由して、主プロセッサ２０は、それは未読メッセージを持っていることを示すための住所プロセッサー３７と交信する。かわって、後者は、オーナーにこの事実を知らせる目的で内部板３中で点滅するインジケータを明るくさせる。
この見返りとして、オーナーは、メッセージの存在を観察することになり、これらを内部板３中に、以下のように、再生できる。
【０１２８】
オーナーが、再生メッセージ用のキーを押すと、住所プロセッサー３７は、主プロセッサ２０から問題となっているメッセージをリクエストすることになる。後者は、リクエストしている住所にたいするメッセージが、存在するかどうかを、主データベース中で探す。さらにもし、存在する場合には、すぐさま最初から再生をスタートする。
【０１２９】
さて、内部板３のラウドスピーカー３４で、再生が行われ、街路板１では行われない。このことは、主プロセッサからのオーダーを受けて、以前のべた入力および出力は、街路板１のラウドスピーカーに音声を送るラインを切断するという事実による。画像は、内部板３のモニター３６に送られ、それとともに、メッセージが記録された日時に関するデータが送られる。これらのデータが、問題の住所プロセッサー３７に集められ、スクリーン３５に書くためのデバイスの助けを借りて、画像にオーバラップさせる。この結果、オーナーは、メッセージを正しく見て、かつ聞くことが出来、さらに記録された日時を知ることが出来る。
【０１３０】
一方、コードレスタイプ（ＧＳＭモデム、あるいはＧＰＲＳおよびＵＭＴＳのような将来のバージョンモデム）のモデム５０の場合には、このシステムは、ＳＭＳメッセージを送信したり受信したり出来る。次の機能は、これらのメッセージを経由して可能となる：
ａ）特定の住所にＳＭＳメッセージを送る：
従来のラインモデムと同様にコードレスモデムは、音声、ファックス、あるいはデータコールが出来るように、関連の電話番号を持ち、さらにＧＳＭモデムにより、ＳＭＳメッセージを送ったりあるいは受信もできる。入力コールのタイプを区別することは、モデム自身の持っているコール識別器により、自動的に行われる。このシステムは、誰にメッセージが送られたかを、次の２つの方法で認識することが出来る：
――電話番号を各住所と関連づける：
我々が、携帯電話からＳＭＳメッセージを送るとき、メッセージのヘッダーに我々の電話番号を自動的に含めさせ、このことにより受信デバイス（他の携帯電話か、モデムのいづれか）は、コールしているデバイスを同定することが出来るようになる。
【０１３１】
我々は、システム２１の主メモリの中に、建物中の各住所と電話番号を関連づけるべきであり、システムのデータベースは、システムがＳＭＳメッセージを持った入力コールを受けたとき、どの方向に向かうのか示す住所を知ることが出来るような方法で位置づけされている。
【０１３２】
――メッセージのボデー中に特定ヘッダーを送る：
メッセージがどの方向に向かうのか示す住所を知るための他の方法としては、メッセージのボデー中に特定のテキストヘッダーを含めることである。例えば、建物中の住所１２にメッセージを送るためには、メッセージにテキストを先行させることで充分であろう：
Ｖ１２　ハロー　ジョン！
さらに、以上のテキストに従って書かれた強制秘密コードの手段により受信を防御できる。すなはちヘッダーは、以下の通りである：
「住所番号」「秘密コード」の順である。
【０１３３】
以上の例は、以下のようになる。
Ｖ１２．５６７４４２　ハロー　ジョン！
以前の方法に対抗して、この方法により、特定の住所にメッセージを送るために、あらかじめデータベースに入る必要もなく、携帯電話が使用できる。
これらの方法のいづれかを使用することにより、システムは、メッセージのヘッダーを抽出し、次の方法で進行する：
メッセージの真のテキストが抽出されると、主プロセッサー２０は、まるで市街板１のベルを鳴らすかのように、問題の住所にコールを行う。通常、住所の人達の反応は、コールに注意することとなる。彼らが見るものは、彼らが、ドアーオープンビデオの配置により、モニター３６あるいは４６上でメッセージのテキストを読むことが出来るということである。
【０１３４】
数秒経過後、モニターはスイッチオフされ、メッセージは、必要により、後の参考のために主メモリ中に記録されて残る。
【０１３５】
ｂ）オーナー会の全メンバーに対して意図したＳＭＳメッセージを送る：
この方法は、建物内の全住所に同時にコールしないという目的を持った場合には、内部板３のベルを鳴らさないで、全住所にアクセスできる主メモリ２１中に、それを直接蓄えることになる。
【０１３６】
ｃ）ＳＭＳコマンド
コードレスＧＭＳモデムを含める場合には、ＳＭＳメッセージを用いることにより、システムを形成したり、これをチェックするようにリクエストしたり、メッセージの再生をリクエストしたり、ホームオートメーション・デバイスあるいはアラームを可能にしたり、不可能にしたりすることが出来るようになる。
【０１３７】
これを行う方法を注目してみよう：
原則として、このシステムは、ＳＭＳメッセージに含まれるときには、１つのアクションあるいは他のアクションを行わせる１セットのコマンドを持つこととなる。例えば、もし我々が、「助けて」という言葉を含むボデーのメッセージを送るときには、使用できる全コマンドを用いて、我々にメッセージを送るようにシステムに命じるべきである。
【０１３８】
ＶＭＮコマンドは、新メッセージを見ることを示唆していると仮定する。このシステムは、システム中に我々が蓄えた新メッセージの数およびこれらのメッセージ（コミュニテイ、オートメッセージ、ＳＭＳなど）のタイプを知らせるメッセージを我々に送ってくれる。
【０１３９】
この場合、ひとたび、システムがオーダを受けると、システムは、すぐさまリクエスト電話をコールし，交信が確立されると、リクエストされたタイプのメッセージを再生し始める。これに対して、システムは、システム中の主メモリ２１にリクエストされる情報を蓄えているファイルを調べ、かつ、圧縮解凍器２７の助けを借りて、オーデイオ・プロセッサー２５およびデジタル・アナログ・コンバータ２３は、これらのファイルを、システムがＧＭＳモデムの音声入力に導入する類似信号に変換する。この結果、遠隔のデバイス中で、メッセージが正しく聞こえるようになる。
【０１４０】
或る場合には、システムによって格納されたメッセージは単に音声または音声・映像であってもよいことに注意。要求されたメッセージが映像を含む場合、この要求は、映像を見る可能性を持たない装置から作られ、主プロセッサは、管理ソフトウエアの助けで、メッセージの音声部分を抽出し、映像情報を無視する。
【０１４１】
要求がＳＭＳメッセージの再生より成っている場合、システムは、ファイルを解凍する必要なしに、あるいはデジタルアナログ変換する必要なしに、ＧＳＭモデムから直接可動装置にＳＭＳメッセージを送る。
【０１４２】
いずれかの要求に誤りがある場合、あるいは要求している電話が行動する許可を持っていない場合、システムは無変更のままである。
【０１４３】
遠隔移動電話から実施できる機能を明らかにするために、一例として、コマンド表を見てみよう：
ＶＭＮ：新メッセージを見る
ＲＭＮ：新メッセージを再生する
ＲＭＳ：ＳＭＳメッセージを再生する
ＧＭＡ：音声メッセージを記録する
ＧＭＣ：コミュニティ用の音声メッセージを記録する
ＳＩＳ：システムから情報を要求する。
更に以下のようにアラームを可能化または不能化することもできる：
ＡＡＳ：セキュリティアラームを可能化する
ＤＡＳ：セキュリティアラームを不能化する
ＡＡＡ：空調を可能化する
ＤＡＡ：空調を不能化する。
【０１４４】
概して、音声メニューを介して実施するために使用したこれらの機能を実施できることが解るであろう。
【０１４５】
更に、遠隔位置確認モジュール５は、その位置及びモデム５０のタイプに関係なく、以下の機能を含むことができる：
ファックス接続のサポート、これは以下のために有用である：
＊故障の場合、テクニカルサービスに自動的に連絡する
＊住居ごとに為された通話の要約を送る
＊応答した通話数や格納されたメッセージ数などの要約を送る。
異なるモジュールをシステム自体を介して更新できるように、システムソフトウエア更新のためのリンクとして作用する。
【図面の簡単な説明】
【図１】この図は、本発明に従って製造されるデジタル電子ドアオープナの概略を示す。
【図２】この図は、上述の図１で言及した電子ドアオープナの素子１および２の機能的ブロックを概略的に示すものであり、このドアオープナのすべての構成について採用されるものである。
【図３】この図は、上述の図１で言及した電子ドアオープナの第１の構成に採用される内部プレート（３）の機能的ブロックを概略的に示すものである。
【図４】この図は、上述の図１で言及した電子ドアオープン場の第２の構成において採用される内部プレート（３）、および上述の第２の構成で採用される遠隔制御装置（４）を概略的に示すものである。
【図５】この図は、上述の図１で言及した電子ドアオープナの第５の構成で採用される内部プレート（３）、および上述の第５の構成において採用される携帯可動ユニット（４）を概略的に示すものである。
【図６】この図は、上述の図１で言及した電子ドアオープナのいくつかの第３、第４および第５の構成において採用される遠隔ローカライゼーションモジュール（５）を、他の素子との接続とともに概略的に示すものである。
【図７】この図は、上述の図１で言及しかつ数多くの住居に適用された電子ドアオープナの内部におけるさまざまな内部プレート（３）の配置をこれらを接続した状態で概略的に示すものである。
【図２】
2004505518.tif 000003
【図３】
2004505518.tif 000004
【図４】
2004505518.tif 000005
【図５】
2004505518.tif 000006
【図７】
2004505518.tif 000007
【国際公開パンフレット】
2004505518.tif 000008
2004505518.tif 000009
2004505518.tif 000010
2004505518.tif 000011
2004505518.tif 000012
2004505518.tif 000013
2004505518.tif 000014
2004505518.tif 000015
2004505518.tif 000016
2004505518.tif 000017
2004505518.tif 000018
2004505518.tif 000019
2004505518.tif 000020
2004505518.tif 000021
2004505518.tif 000022
2004505518.tif 000023
2004505518.tif 000024
2004505518.tif 000025
2004505518.tif 000026
2004505518.tif 000027
2004505518.tif 000028
2004505518.tif 000029
2004505518.tif 000030
2004505518.tif 000031
2004505518.tif 000032
2004505518.tif 000033
2004505518.tif 000034
2004505518.tif 000035
2004505518.tif 000036
2004505518.tif 000037
2004505518.tif 000038
2004505518.tif 000039
2004505518.tif 000040
2004505518.tif 000041
2004505518.tif 000042
2004505518.tif 000043
2004505518.tif 000044
2004505518.tif 000045
2004505518.tif 000046
2004505518.tif 000047
2004505518.tif 000048
2004505518.tif 000049
2004505518.tif 000050
2004505518.tif 000051
2004505518.tif 000052
2004505518.tif 000053
2004505518.tif 000054
2004505518.tif 000055
2004505518.tif 000056
2004505518.tif 000057
2004505518.tif 000058
2004505518.tif 000059
2004505518.tif 000060
2004505518.tif 000061
2004505518.tif 000062
2004505518.tif 000063
2004505518.tif 000064
2004505518.tif 000065
2004505518.tif 000066
2004505518.tif 000067
2004505518.tif 000068
2004505518.tif 000069
2004505518.tif 000070
2004505518.tif 000071
2004505518.tif 000072
2004505518.tif 000073
2004505518.tif 000074
2004505518.tif 000075
2004505518.tif 000076
2004505518.tif 000077
2004505518.tif 000078
2004505518.tif 000079
2004505518.tif 000080
2004505518.tif 000081
2004505518.tif 000082
2004505518.tif 000083
【国際調査報告】
2004505518.tif 000084
2004505518.tif 000085
2004505518.tif 000086
2004505518.tif 000087